(57)【要約】【課題】停車中の指令手段の操作によるエンジン回転数の不必要な上昇を防止する。【解決手段】定回転制御の実行中に、センサ３２の出力に対応するエンジン回転数が記憶手段２１Ｄに記憶したエンジン回転数よりも高くなると、制御手段３６が、定回転制御に優先してアクセル制御を実行し、そのアクセル制御の実行中に、センサ３２の出力に対応するエンジン回転数が記憶手段２１Ｄに記憶したエンジン回転数よりも低くなると、制御手段３６が、アクセル制御を終了して定回転制御を再開するように構成してある。【選択図】図２
2012132471.tif 000002
【特許請求の範囲】
【請求項１】
アクセル操作具の操作位置を検出するセンサの出力に基づいて、前記センサの出力に対応するエンジン回転数がエンジンの出力回転数として得られるように前記出力回転数を制御するアクセル制御と、
記憶手段に記憶したエンジン回転数の読み出しを指令する人為操作式の指令手段の操作に基づいて、前記記憶手段に記憶したエンジン回転数が前記出力回転数として得られるように前記出力回転数を制御する定回転制御との何れかを実行する制御手段を備えた作業車のアクセル制御構造であって、
前記定回転制御の実行中に、前記センサの出力に対応するエンジン回転数が前記記憶手段に記憶したエンジン回転数よりも高くなると、前記制御手段が、前記定回転制御に優先して前記アクセル制御を実行し、そのアクセル制御の実行中に、前記センサの出力に対応するエンジン回転数が前記記憶手段に記憶したエンジン回転数よりも低くなると、前記制御手段が、前記アクセル制御を終了して前記定回転制御を再開するように構成してあることを特徴とする作業車のアクセル制御構造。
【請求項２】
前記アクセル操作具は、アクセルペダルを含めて構成されている請求項１に記載の作業車のアクセル制御構造。
【発明の詳細な説明】
【技術分野】
【０００１】
本発明は、アクセルペダルの操作位置を検出するペダルセンサの出力に基づいて、前記ペダルセンサの出力に対応するエンジン回転数がエンジンの出力回転数として得られるように前記出力回転数を制御するフットアクセル制御を実行し、アクセルレバーの操作位置を検出するレバーセンサの出力に基づいて、前記レバーセンサの出力に対応するエンジン回転数が前記出力回転数として得られるように前記出力回転数を制御するハンドアクセル制御を実行し、記憶手段に記憶したエンジン回転数の読み出しを指令する人為操作式の指令手段の操作に基づいて、前記記憶手段に記憶したエンジン回転数が前記出力回転数として得られるように前記出力回転数を制御する定回転制御を実行する制御手段を備えた作業車のアクセル制御構造に関する。
【背景技術】
【０００２】
上記のような作業車のアクセル制御構造としては、指令手段となるスイッチのオン操作によって、ハンドアクセル制御に優先して定回転制御を実行するように構成したものがある（例えば特許文献１参照）。
【先行技術文献】
【特許文献】
【０００３】
【特許文献１】特開平１−１９５９３３号公報
【発明の概要】
【発明が解決しようとする課題】
【０００４】
上記の構成によると、エンジンからの伝動を遮断し、かつ、アクセルレバーをアイドリング位置に位置させた停車状態において、指令手段の操作が行なわれると、その操作に伴って、制御手段がハンドアクセル制御に優先して定回転制御を実行することにより、エンジンの出力回転数が記憶手段に記憶したエンジン回転数まで上昇することになる。つまり、停車状態であるにもかかわらず、指令手段の操作によってエンジンの出力回転数が不必要に上昇するようになっていた。
【０００５】
本発明の目的は、アクセルレバーをアイドリング位置に位置させた停車状態において、指令手段の操作によってエンジンの出力回転数が不必要に上昇することのないようにすることにある。
【課題を解決するための手段】
【０００６】
上記の目的を達成するため、本発明のうちの請求項１に記載の発明では、
アクセルペダルの操作位置を検出するペダルセンサの出力に基づいて、前記ペダルセンサの出力に対応するエンジン回転数がエンジンの出力回転数として得られるように前記出力回転数を制御するフットアクセル制御と、
アクセルレバーの操作位置を検出するレバーセンサの出力に基づいて、前記レバーセンサの出力に対応するエンジン回転数が前記出力回転数として得られるように前記出力回転数を制御するハンドアクセル制御と、
記憶手段に記憶したエンジン回転数の読み出しを指令する人為操作式の指令手段の操作に基づいて、前記記憶手段に記憶したエンジン回転数が前記出力回転数として得られるように前記出力回転数を制御する定回転制御との何れかを実行する制御手段を備えた作業車のアクセル制御構造であって、
前記定回転制御を実行しておらず且つ前記レバーセンサの出力に対応するエンジン回転数がアイドリング回転数よりも高い場合に前記指令手段が操作されると、前記制御手段が前記定回転制御を実行し、
前記定回転制御を実行しておらず且つ前記レバーセンサの出力に対応するエンジン回転数がアイドリング回転数以下の場合に前記指令手段が操作されると、前記制御手段が前記定回転制御を実行しないように構成してあることを特徴とする。
【０００７】
この特徴構成によると、制御手段は、定回転制御を実行しておらず且つエンジンの出力回転数がアイドリング回転数よりも高くなる操作位置にアクセルレバーを操作した場合にのみ、指令手段の操作に基づいて定回転制御を実行することができる。
【０００８】
これにより、エンジンからの伝動を遮断し、かつ、アクセルレバーをアイドリング位置に位置させた停車状態において、指令手段の操作が行なわれても、制御手段が定回転制御を実行することを回避することができる。
【０００９】
従って、アクセルレバーをアイドリング位置に位置させた停車状態において、指令手段の操作によってエンジンの出力回転数が不必要に上昇することがない。
【００１０】
本発明のうちの請求項２に記載の発明では、上記請求項１に記載の発明において、
前記定回転制御の実行中に前記指令手段が操作されると、その操作に基づいて、前記制御手段が、前記定回転制御を終了するとともに、前記フットアクセル制御と前記ハンドアクセル制御のうち、制御目標とするエンジン回転数が高い側のアクセル制御を実行するように構成してあることを特徴とする。
【００１１】
この特徴構成によると、指令手段の操作により、車体の走行状態を、記憶手段に記憶したエンジン回転数（以下、記憶回転数と称する）をエンジンの出力回転数とする定速状態（以下、記憶定速状態と称する）と、レバーセンサの出力に対応するエンジン回転数（以下、レバー設定回転数と称する）をエンジンの出力回転数とする定速状態（以下、レバー定速状態と称する）とに簡単に切り替えることが可能になる。
【００１２】
また、レバー定速状態においては、ペダルセンサの出力に対応するエンジン回転数（以下、ペダル設定回転数と称する）がレバー設定回転数よりも高くなるようにアクセルペダルを操作することにより、その操作を行なっている間、エンジンの出力回転数をレバー設定回転数からペダル設定回転数に上昇させたペダル増速状態で車体を走行させることができる。そして、このペダル増速状態においてアクセルペダルの操作を解除することにより、レバー定速状態に簡単に復帰させることができる。
【００１３】
これにより、例えば、レバー定速状態を作業用とし、記憶定速状態を枕地旋回用とすることにより、作業用の定速状態と枕地旋回用の定速状態とを指令手段の操作によって簡単に得ることができる。そして、作業用の定速状態においては、アクセルペダルの操作によるペダル増速状態を必要に応じて容易に得ることができる。
【００１４】
従って、作業用の定速状態と枕地旋回用の定速状態との切り替えを簡便に行なうことができる上に、必要に応じたレバー定速状態からペダル増速状態への移行を容易に行えるようにすることができる。
【００１５】
本発明のうちの請求項３に記載の発明では、上記請求項１または２に記載の発明において、
前記定回転制御の実行中に、前記ペダルセンサの出力に対応するエンジン回転数が前記記憶手段に記憶したエンジン回転数よりも高くなると、前記制御手段が、前記定回転制御に優先して前記フットアクセル制御を実行し、その前記フットアクセル制御の優先実行中に、前記ペダルセンサの出力に対応するエンジン回転数が前記記憶手段に記憶したエンジン回転数よりも低くなると、前記制御手段が、前記フットアクセル制御を終了して前記定回転制御を再開するように構成してあることを特徴とする。
【００１６】
この特徴構成によると、記憶定速状態においては、ペダル設定回転数が記憶回転数よりも高くなるようにアクセルペダルを操作することにより、その操作を行なっている間、エンジンの出力回転数を記憶回転数からペダル設定回転数に上昇させたペダル増速状態で車体を走行させることができる。そして、このペダル増速状態においてアクセルペダルの操作を解除することにより、記憶定速状態に簡単に復帰させることができる。
【００１７】
従って、記憶定速状態においても、アクセルペダルの操作によるペダル増速状態を必要に応じて容易に得ることができる。
【００１８】
本発明のうちの請求項４に記載の発明では、上記請求項１〜３のいずれか一つに記載の発明において、
前記定回転制御の実行中に、エンジン回転数が低くなる方向への前記アクセルレバーの操作を前記レバーセンサにより検出し、かつ、その操作後の前記レバーセンサの出力に対応するエンジン回転数が前記記憶手段に記憶したエンジン回転数よりも低くなる場合には、前記制御手段が、前記定回転制御を終了するとともに、前記フットアクセル制御と前記ハンドアクセル制御のうち、制御目標とするエンジン回転数が高い側のアクセル制御を実行するように構成してあることを特徴とする。
【００１９】
この特徴構成によると、記憶定速状態において、レバー設定回転数が記憶回転数よりも低くなるようにアクセルレバーを操作することにより、アクセルペダルを操作していない限り、エンジンの出力回転数を記憶回転数よりも低いレバー設定回転数まで低下させた減速状態で車体を走行させることができるとともに、その減速後の速度で車体を定速走行させることができる。
【００２０】
つまり、記憶定速状態において、減速する必要が生じた場合には、レバー定速状態での減速操作と同様に、アクセルレバーを減速方向に操作する、といった慣れた操作で車速を低下させて維持することができる。
【００２１】
従って、アクセルレバーによる手馴れた操作で記憶定速状態からレバー減速状態への移行を容易に行うことができる。
【００２２】
本発明のうちの請求項５に記載の発明では、上記請求項１〜４のいずれか一つに記載の発明において、
前記定回転制御の実行中に、前記レバーセンサの出力に対応するエンジン回転数がアイドリング回転数以下になるように前記アクセルレバーが操作された場合には、前記制御手段が前記定回転制御を終了するように構成してあることを特徴とする。
【００２３】
この特徴構成によると、記憶定速状態においては、レバー設定回転数がアイドリング回転数以下になるようにアクセルレバーを操作することにより、アクセルペダルを操作していない限り、エンジンの出力回転数をアイドリング回転数以下に低下させた減速状態を得ることができる。
【００２４】
つまり、記憶定速状態において、減速する必要が生じた場合には、レバー定速状態での減速操作と同様に、アクセルレバーを減速方向に操作する、といった慣れた操作で車速を低下させることができる。
【００２５】
従って、アクセルレバーによる手馴れた操作で記憶定速状態からレバー減速状態への移行を容易かつ確実に行うことができる。
【００２６】
本発明のうちの請求項６に記載の発明では、上記請求項１〜５のいずれか一つに記載の発明において、
前記定回転制御の実行中に、エンジン回転数が高くなる方向への前記アクセルレバーの操作を前記レバーセンサにより検出し、かつ、その操作後の前記レバーセンサの出力に対応するエンジン回転数が前記記憶手段に記憶したエンジン回転数よりも高くなる場合には、前記制御手段が、前記定回転制御を終了するとともに、前記フットアクセル制御と前記ハンドアクセル制御のうち、制御目標とするエンジン回転数が高い側のアクセル制御を実行するように構成してあることを特徴とする。
【００２７】
この特徴構成によると、記憶定速状態において、レバー設定回転数が記憶回転数よりも高くなるようにアクセルレバーを操作することにより、エンジンの出力回転数を記憶回転数よりも高いレバー設定回転数まで上昇させた増速状態で車体を走行させることができるとともに、その増速後の速度で車体を定速走行させることができる。
【００２８】
つまり、記憶定速状態において、増速する必要が生じた場合には、レバー定速状態での増速操作と同様に、アクセルレバーを増速方向に操作する、といった慣れた操作で車速を上昇させて維持することができる。
【００２９】
従って、アクセルレバーによる手馴れた操作で記憶定速状態からレバー増速状態への移行を容易に行うことができる。
【００３０】
本発明のうちの請求項７に記載の発明では、上記請求項１〜６のいずれか一つに記載の発明において、
前記出力回転数の上限を設定する人為操作式の上限設定手段を備え、
前記定回転制御の実行中に、前記上限設定手段により設定した上限回転数が前記記憶手段に記憶したエンジン回転数よりも低くなると、前記制御手段が、前記定回転制御に優先して、前記出力回転数を前記上限回転数に制限する上限回転制御を実行し、
その前記上限回転制御の優先実行中に、前記上限回転数が前記記憶手段に記憶したエンジン回転数よりも高くなると、前記制御手段が、前記上限回転制御を終了して前記定回転制御を再開するように構成してあることを特徴とする。
【００３１】
この特徴構成によると、記憶定速状態において、記憶回転数よりも上限回転数が低くなるように、人為操作式の上限設定手段としての上限設定器を操作することにより、記憶定速状態よりも回転数が低い上限定速状態で車体を走行させることができる。そして、この上限定速状態において、記憶回転数よりも上限回転数が高くなるように上限設定器を操作することにより、記憶定速状態に簡単に復帰させることができる。
【００３２】
つまり、記憶回転数を基準にした上限設定器の操作による定速回転数の微調整を行うことができ、これにより、記憶定速状態を作業用とする場合には、圃場の状況などに応じた定速回転数の微調整を上限設定器の操作によって容易に行うことができる。
【００３３】
また、記憶定速状態においてスリップが発生した場合には、上限回転数が記憶回転数よりも低くなるように上限設定器を操作することにより、スリップの度合いを弱めてグリップ力を上げることができ、スリップ状態から容易に脱出することができる。そして、スリップ状態からの脱出後に、上限回転数が記憶回転数よりも高くなるように上限設定器を操作することにより、記憶定速状態に簡単に復帰させることができる。
【００３４】
従って、記憶定速状態での走行中にスリップが発生した場合の脱出操作と、スリップ状態脱出後の定速状態への復帰操作とを簡便に行えるとともに、記憶定速状態での圃場の状況などに応じた定速回転数の微調整を容易に行うことができる。
【００３５】
本発明のうちの請求項８に記載の発明では、上記請求項７に記載の発明において、
前記定回転制御の終了時に、前記ペダルセンサの出力に対応する回転数と前記レバーセンサの出力に対応する回転数との双方が、前記上限回転数よりも低い場合には、前記制御手段が、前記フットアクセル制御と前記ハンドアクセル制御のうち、制御目標とするエンジン回転数が高い側のアクセル制御を実行し、
前記定回転制御の終了時に、前記ペダルセンサの出力に対応する回転数と前記レバーセンサの出力に対応する回転数とのいずれか一方が、前記上限回転数よりも高い場合には、前記制御手段が、前記上限回転制御を実行するように構成してあることを特徴とする。
【００３６】
この特徴構成によると、記憶定速状態において、レバー設定回転数よりも上限回転数が高くなるように上限設定器を操作すれば、指令手段を操作することにより、記憶定速状態からレバー定速状態に移行させることができる。また、記憶定速状態において、レバー設定回転数よりも上限回転数が低くなるように上限設定器を操作すれば、指令手段を操作することにより、記憶定速状態からレバー定速状態よりもエンジン回転数の低い上限定速状態に移行させることができる。
【００３７】
つまり、指令手段の操作により記憶定速状態から移行させる定速状態でのエンジン回転数を、上限設定器の操作により、レバー設定回転数を基準にして微調整することができる。
【００３８】
また、レバー定速状態においてスリップが発生した場合には、上限回転数がレバー回転数よりも低くなるように上限設定器を操作することにより、スリップの度合いを弱めてグリップ力を上げることができ、スリップ状態から容易に脱出することができる。そして、スリップ状態からの脱出後に、上限回転数がレバー回転数よりも高くなるように上限設定器を操作することにより、レバー定速状態に簡単に復帰させることができる。
【００３９】
従って、レバー定速状態での圃場の状況などに応じた定速回転数の微調整を容易に行えるとともに、レバー定速状態での走行中にスリップが発生した場合の脱出操作と、スリップ状態脱出後の定速状態への復帰操作とを簡便に行うことができる。
【００４０】
本発明のうちの請求項９に記載の発明では、上記請求項１〜８のいずれか一つに記載の発明において、
前記記憶手段に第１記憶回転数と第２記憶回転数との２種類のエンジン回転数を記憶し、
前記指令手段を、前記記憶手段に記憶した前記第１記憶回転数の読み出しを指令する第１スイッチと前記記憶手段に記憶した前記第２記憶回転数の読み出しを指令する第２スイッチで構成し、
前記制御手段が、前記定回転制御として、前記第１記憶回転数が前記出力回転数として得られるように前記出力回転数を制御する第１定回転制御と前記第２記憶回転数が前記出力回転数として得られるように前記出力回転数を制御する第２定回転制御との何れかを実行可能であり、
前記第１定回転制御を実行しておらず且つ前記レバーセンサの出力に対応するエンジン回転数がアイドリング回転数よりも高い場合に、前記第１スイッチが操作されると、前記第１定回転制御を実行し、前記第２定回転制御を実行しておらず且つ前記レバーセンサの出力に対応するエンジン回転数がアイドリング回転数よりも高い場合に、前記第２スイッチが操作されると、前記第２定回転制御を実行することを特徴とする。
【００４１】
この特徴構成によると、第１スイッチを操作して記憶手段に記憶した一方のエンジン回転数（以下、第１記憶回転数と称する）を選択することにより、第１記憶回転数による定速状態（以下、第１記憶定速状態と称する）で車体を走行させることができる。
【００４２】
また、他方のエンジン回転数（以下、第２記憶回転数と称する）を選択することにより、第２記憶回転数による定速状態（以下、第２記憶定速状態と称する）で車体を走行させることができる。
【００４３】
つまり、第１記憶定速状態と第２記憶定速状態との２種類の定速状態を得ることができる。そのため、例えば、第１記憶定速状態を代掻き作業用とし、第２記憶定速状態を耕耘作業用とすれば、代掻き作業用の定速状態と耕耘作業用の定速状態とをスイッチの操作によって簡単に得ることができる。また、第１記憶定速状態を作業用とし、第２記憶定速状態を枕地旋回用とすれば、作業用の定速状態と枕地旋回用の定速状態とをスイッチの操作によって簡単に得ることができる。
【００４４】
従って、行う作業などに応じた第１記憶定速状態と第２記憶定速状態との切り替えを可能にしながら、その切り替えをスイッチ操作によって簡便に行なうことができる。
【００４５】
本発明のうちの請求項１０に記載の発明では、上記請求項９に記載の発明において、
前記第１スイッチ及び前記第２スイッチは、モーメンタリスイッチにて構成されていることを特徴とする。
【００４６】
この特徴構成によると、一方のモーメンタリスイッチを操作することにより、第１記憶回転数による第１記憶定速状態で車体を走行させることができる。また、他方のモーメンタリスイッチを操作することにより、第２記憶回転数による第２記憶定速状態で車体を走行させることができる。
【００４７】
つまり、第１記憶定速状態を選択する専用のモーメンタリスイッチと、第２記憶定速状態を選択する専用のモーメンタリスイッチとを備えることから、単一のスイッチで第１記憶定速状態と第２記憶定速状態とを選択する場合に比較して、選択ミスの発生を抑制することができる。
【００４８】
従って、第１記憶定速状態と第２記憶定速状態とを間違えて選択する虞を抑制することができる。
【００４９】
本発明のうちの請求項１１に記載の発明では、上記請求項２〜１０のいずれか一つに記載の発明において、
前記制御手段が、前記定回転制御を終了することにより前記エンジンの出力回転数が上昇する場合には、前記指令手段の操作に基づいて前記エンジンの出力回転数を低下させる場合よりも、エンジン回転数の変化速度が小さくなるように、前記エンジンの出力回転数を制御することを特徴とする。
【００５０】
この特徴構成によると、エンジンの出力回転数が上昇する場合の出力回転数の変化が、エンジンの出力回転数が低下する場合よりも穏やかになる。
【００５１】
従って、エンジンの出力回転数を上昇させる増速走行時の速度の変化を、エンジンの出力回転数を低下させる減速走行時よりも滑らかにすることができ、結果、増速走行時の乗り心地をさらに向上させることができる。
【図面の簡単な説明】
【００５２】
【図１】トラクタの全体側面図
【図２】制御構成を示すブロック図
【図３】液晶表示部での表示内容の切り替えを示す図
【発明を実施するための形態】
【００５３】
以下、本発明を実施するための最良の形態の一例として、本発明に係る作業車のアクセル制御構造を、作業車の一例であるトラクタに適用した実施形態を図面に基づいて説明する。
【００５４】
図１はトラクタの全体側面図である。このトラクタは、その前部にエンジン１を搭載してある。エンジン１が出力する回転動力は、その回転動力を断続するクラッチ（図示せず）や、フレーム兼用のトランスミッションケース２に内蔵した変速装置（図示せず）などを介して左右一対の前輪３と後輪４、および、トランスミッションケース２の後部から後方に向けて突設した動力取出軸５に伝達する。トラクタの後部には、前輪操舵用のステアリングホイール６や運転座席７などを配備して搭乗運転部８を形成し、搭乗運転部８を覆うキャビン９を装備してある。
【００５５】
図２に示すように、エンジン１には、燃料の噴射量や噴射タイミングを電子制御するコモンレール式の燃料噴射装置１０を備えている。燃料噴射装置１０は、燃料タンク１１に貯留した燃料を圧送するサプライポンプ１２、圧送した燃料を蓄圧するコモンレール１３、蓄圧した燃料を燃料室（図示せず）に噴射する複数のインジェクタ１４、コモンレール１３の内圧を検出する圧力センサ１５、および、圧力センサ１５などの出力に基づいてサプライポンプ１２や各インジェクタ１４などの作動を制御するエンジンコントロールユニット（以下、ＥＣＵと略称する）１６、などを備えて構成してある。
【００５６】
図１に示すように、トランスミッションケース２の後部には、左右一対のリフトアーム１７と作業装置連結用のリンク機構１８、および、左右のリフトアーム１７を上下方向に揺動駆動する左右一対のリフトシリンダ１９、などを装備してある。これにより、ロータリ耕耘装置やプラウなどの各種の作業装置（図示せず）を、作業内容に応じて、昇降可能または昇降可能かつローリング可能に付け替え装備することができる。
【００５７】
左右のリフトシリンダ１９には単動型の油圧シリンダを採用してある。左右のリフトシリンダ１９は、それらに対する作動油の流れが電磁制御弁２０の作動で制御されることにより伸縮作動する。
【００５８】
図２に示すように、このトラクタにはマイクロコンピュータからなる制御装置２１を搭載してある。制御装置２１には、作業装置の昇降を制御する昇降制御手段２１Ａを制御プログラムとして備えてある。
【００５９】
昇降制御手段２１Ａは、作業装置を任意の高さ位置に位置させるポジション制御や、作業装置を上限位置まで強制上昇させる強制上昇制御、などを実行するように構成してある。
【００６０】
ポジション制御では、第１昇降レバー２２の操作位置を検出する第１レバーセンサ２３の出力と、リフトアーム１７の上下揺動角度を検出するリフトアームセンサ２４の出力と、それらの出力を対応させた昇降用のマップデータとに基づいて、リフトアームセンサ２４の出力が第１レバーセンサ２３の出力に対応する（第１レバーセンサ２３の出力の不感帯幅内に収まる）ように、電磁制御弁２０の作動を制御して左右のリフトシリンダ１９を伸縮作動させる。
【００６１】
強制上昇制御は、第２昇降レバー２５の操作を検出する第２レバーセンサ２６が、第２昇降レバー２５の中立位置から上方への操作を検出した場合に、他の昇降制御に優先して実行する。強制上昇制御では、リフトアームセンサ２４の出力と予め設定した昇降上限値とに基づいて、リフトアームセンサ２４の出力が昇降上限値に対応する（昇降上限値の不感帯幅内に収まる）ように、電磁制御弁２０の作動を制御して左右のリフトシリンダ１９を伸長作動させる。この強制上昇後に第２レバーセンサ２６が第２昇降レバー２５の中立位置から下方への操作を検出すると、第１レバーセンサ２３の出力と、リフトアームセンサ２４の出力と、昇降用のマップデータとに基づいて、リフトアームセンサ２４の出力が第１レバーセンサ２３の出力に対応する（第１レバーセンサ２３の出力の不感帯幅内に収まる）ように、電磁制御弁２０の作動を制御して左右のリフトシリンダ１９を収縮作動させ、その後、強制上昇制御を終了する。
【００６２】
昇降用のマップデータは、第１レバーセンサ２３の出力を作業装置の目標高さ位置とし、リフトアームセンサ２４の出力を作業装置の実高さ位置として、それらの出力を対応させてある。
【００６３】
つまり、第１昇降レバー２２の操作に基づいて昇降制御手段２１Ａが任意昇降制御を実行することにより、第１昇降レバー２２の操作位置に対応する任意の高さ位置まで作業装置を昇降させることができる。
【００６４】
また、第２昇降レバー２５の操作に基づいて昇降制御手段２１Ａが強制上昇制御を実行することにより、予め設定した昇降上限値に対応する昇降上限位置まで作業装置を自動上昇させることができるとともに、第１昇降レバー２２の操作位置に対応する任意の高さ位置まで作業装置を自動下降させることができる。
【００６５】
これにより、例えば、トラクタの後部にロータリ耕耘装置などの作業装置を連結して耕耘作業を行う場合には、第１昇降レバー２２の操作により、所望の耕深が得られるように作業装置の高さ位置を任意に設定して耕耘作業を行い、この耕耘作業中に畦際で車体を方向転換させる枕地旋回を開始する際には、第２昇降レバー２５を上方に向けて操作することにより、作業装置を上限位置まで簡単に上昇させることができる。その結果、作業装置が接地しながら旋回することに起因して旋回内側が掘れる、といった不都合の発生を容易に回避することができる。また、枕地旋回の終了直前に第２昇降レバー２５を下方に向けて操作することにより、第１昇降レバー２２の操作で設定した任意の作業高さ位置まで作業装置を簡単に下降させることができる。その結果、枕地旋回の終了とともに耕耘作業を再開させることができる。
【００６６】
第１昇降レバー２２は、前後揺動式の位置保持型で運転座席７の右側方に配備してある。第２昇降レバー２５は、上下揺動式の中立復帰型でステアリングホイール６の右下方に配備してある。第１レバーセンサ２３およびリフトアームセンサ２４には回転式のポテンショメータを採用してある。第２レバーセンサ２６には、第２昇降レバー２５の上方への操作に連動して閉操作される第１接点と、第２昇降レバー２５の下方への操作に連動して閉操作される第２接点とを備えたスイッチを採用してある。
【００６７】
制御装置２１には、エンジン１の出力回転数を検出する電磁ピックアップ式の回転センサ２７などの出力に基づいて、エンジン１の出力回転数などの情報を、搭乗運転部８に備えた表示パネル２８のタコメータ（図示せず）などにより表示させる表示制御手段２１Ｂを制御プログラムとして備えてある。表示制御手段２１Ｂは、表示パネル２８の近傍に配備した表示切替スイッチ２９の操作などに基づいて、表示パネル２８に備えた液晶表示部３０の表示状態を、アワーメータや燃料の残量などを表示する状態や、変速段数や車速などの車速に関する情報を表示する状態、などに切り替える。
【００６８】
制御装置２１には、エンジン１の目標回転数を設定する目標回転数設定手段２１Ｃを制御プログラムとして備えてある。また、アクセルペダル３１の操作位置を検出するペダルセンサ３２の出力とエンジン回転数とを対応させた第１マップデータ、アクセルレバー３３の操作位置を検出するレバーセンサ３４の出力とエンジン回転数とを対応させた第２マップデータ、および、エンジン回転数の上限を設定する上限設定器（上限設定手段の一例）３５の出力とエンジン回転数とを対応させた第３マップデータ、などを備えてある。
【００６９】
目標回転数設定手段２１Ｃは、ペダルセンサ３２の出力と第１マップデータとに基づいてペダルセンサ３２の出力に対応するエンジン回転数（以下、ペダル設定回転数と称する）を選定する。レバーセンサ３４の出力と第２マップデータとに基づいてレバーセンサ３４の出力に対応するエンジン回転数（以下、レバー設定回転数と称する）を選定する。上限設定器３５の出力と第３マップデータとに基づいて上限設定器３５の出力に対応するエンジン回転数（以下、上限回転数と称する）を選定する。
【００７０】
そして、選定したそれらの回転数を比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００７１】
アクセルペダル３１は、踏み込み操作式の初期位置復帰型で搭乗運転部８の右足元部に配備してある。アクセルレバー３３は、前後揺動式の位置保持型で運転座席７の右側方に配備してある。上限設定器３５は、回転式のポテンショメータなどによりダイヤル式に構成してある。
【００７２】
ＥＣＵ１６には、制御装置２１の目標回転数設定手段２１Ｃにより設定した目標回転数や、制御装置２１を経由して入力された回転センサ２７の出力などに基づいて、目標回転数がエンジン１の出力回転数として得られるようにサプライポンプ１２や各インジェクタ１４などの作動を制御する燃料噴射制御手段１６Ａを制御プログラムとして備えてある。
【００７３】
そして、制御装置２１の目標回転数設定手段２１ＣとＥＣＵ１６の燃料噴射制御手段１６Ａにより、エンジン１の出力回転数を制御するエンジン回転数制御手段（制御手段の一例）３６を構成してある。
【００７４】
エンジン回転数制御手段３６は、ペダル設定回転数およびレバー設定回転数が上限回転数よりも低い状態において、ペダル設定回転数がレバー設定回転数よりも高い場合には、ペダル設定回転数を目標回転数に設定し、そのペダル設定回転数がエンジン１の出力回転数として得られるようにエンジン１の出力回転数を制御するフットアクセル制御を実行する。逆に、レバー設定回転数がペダル設定回転数よりも高い場合には、レバー設定回転数を目標回転数に設定し、そのレバー設定回転数がエンジン１の出力回転数として得られるようにエンジン１の出力回転数を制御するハンドアクセル制御を実行する。また、ペダル設定回転数およびレバー設定回転数のうちのいずれか一方が上限回転数よりも高い場合には、上限回転数を目標回転数に設定し、その上限回転数がエンジン１の出力回転数として得られるようにエンジン１の出力回転数を制御する上限回転制御を実行する。
【００７５】
この構成により、例えば、アクセルレバー３３を任意の操作位置に操作し、かつ、レバー設定回転数よりも上限回転数が低くならないように上限設定器３５を操作することにより、エンジン１の出力回転数をレバー設定回転数に維持するレバー定速状態で車体を走行させることができる。このレバー定速状態において、ペダル設定回転数がレバー設定回転数よりも高くなるようにアクセルペダル３１を操作することにより、その操作を行なっている間、エンジン１の出力回転数をレバー設定回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することによりレバー定速状態に簡単に復帰させることができる。
【００７６】
つまり、レバー定速状態と上限定速状態との高低２段の定速状態を得ることができるとともに、レバー定速状態と上限定速状態とにわたる任意の変速操作を行うことができる。
【００７７】
また、レバー定速状態において、レバー設定回転数よりも上限回転数が低くなるように上限設定器３５を操作することにより、レバー定速状態よりも回転数の低い上限定速状態で車体を走行させることができる。そして、この上限定速状態において、レバー設定回転数よりも上限回転数が高くなるように上限設定器３５を操作することにより、レバー定速状態に簡単に復帰させることができる。
【００７８】
つまり、レバー設定回転数を基準にした上限設定器３５の操作による定速回転数の微調整を行うことができる。その結果、圃場の状況などに応じた定速回転数の設定変更を容易に行える。
【００７９】
さらに、例えば、アクセルレバー３３をアイドリング位置に操作し、かつ、上限回転数が作業に適したエンジン回転数になるように上限設定器３５を操作すれば、アクセルペダル３１を操作限界位置まで操作することにより、エンジン１の出力回転数を作業に適した上限回転数に維持する上限定速状態で車体を走行させることができる。この上限定速状態において、ペダル設定回転数が上限回転数よりも低くなるようにアクセルペダル３１の操作を緩めることにより、エンジン１の出力回転数を上限回転数よりも低くしたペダル減速状態で車体を走行させることができる。このペダル減速状態において、再びアクセルペダル３１を操作限界位置まで操作することにより上限定速状態に復帰させることができる。
【００８０】
このように、上限回転数が作業に適したエンジン回転数になるように上限設定器３５を操作すれば、作業中の直進走行時には、アクセルペダル３１を操作限界位置まで操作することにより、圃場の荒れ具合などに起因した車体の揺れに関係なく、アクセルペダル３１の操作による作業に適した定速状態を安定して得ることができる。そして、枕地旋回を行なう場合には、枕地旋回を開始する前にアクセルペダル３１の操作を緩めることにより、枕地旋回に適した減速状態を容易に得ることができる。また、定速状態においてスリップが発生した場合には、アクセルペダル３１の操作を緩めてエンジン回転数を低下させることにより、スリップの度合いを弱めてグリップ力を上げることができ、スリップ状態から容易に脱出することができる。そして、枕地旋回後またはスリップ状態からの脱出後にアクセルペダル３１を操作限界位置まで操作することにより、作業に適した定速状態を容易に再現することができる。
【００８１】
つまり、直進走行と枕地旋回とを繰り返す往復作業に適した走行状態や、スリップが発生しやすいプラウやサブソイラなどの作業装置を連結した重牽引作業に適した走行状態を簡単に得ることができる。
【００８２】
制御装置２１には、運転座席７の右側方に配備したモーメンタリスイッチからなる第１スイッチ３７の操作に基づいて読み出される第１記憶回転数と、第１スイッチ３７に隣接配備したモーメンタリスイッチからなる第２スイッチ３８の操作に基づいて読み出される第２記憶回転数とを備えてある。
【００８３】
目標回転数設定手段２１Ｃは、基本的には、エンジン１の出力回転数がアイドリング回転数よりも高くなる操作位置にアクセルレバー３３を操作したレバー定速状態において、第１スイッチ３７が操作されると、第１スイッチ３７の出力に基づいて第１記憶回転数を目標回転数に設定する。第１記憶回転数を目標回転数に設定した状態において、第１スイッチ３７が操作されると、第１スイッチ３７が初期位置に復帰するまでの時間を計測し、その計測時間が設定時間以内（例えば３秒以内）であれば、そのときの第１スイッチ３７の出力に基づいて、ペダル設定回転数とレバー設定回転数と上限回転数とを比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００８４】
また、エンジン１の出力回転数がアイドリング回転数よりも高くなる操作位置にアクセルレバー３３を操作したレバー定速状態において、第２スイッチ３８が操作されると、第２スイッチ３８の出力に基づいて第２記憶回転数を目標回転数に設定する。第２記憶回転数を目標回転数に設定した状態において、第２スイッチ３８が操作されると、第２スイッチ３８が初期位置に復帰するまでの時間を計測し、その計測時間が設定時間以内（例えば３秒以内）であれば、そのときの第２スイッチ３８の出力に基づいて、ペダル設定回転数とレバー設定回転数と上限回転数とを比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００８５】
つまり、エンジン回転数制御手段３６は、レバー定速状態において第１スイッチ３７が操作されると、第１記憶回転数を目標回転数に設定し、その第１記憶回転数がエンジン１の出力回転数として得られるようにエンジン１の出力回転数を制御する第１定回転制御を実行する。レバー定速状態において第２スイッチ３８が操作されると、第２記憶回転数を目標回転数に設定し、その第２記憶回転数がエンジン１の出力回転数として得られるようにエンジン１の出力回転数を制御する第２定回転制御を実行する。
【００８６】
また、第１定回転制御の実行中に、第１スイッチ３７が初期位置に復帰するまでの計測時間が設定時間以内となる第１スイッチ３７の短押し操作が行われた場合には、第１定回転制御を終了するとともに、そのときの操作状態に応じて設定した目標回転数に基づいてフットアクセル制御とハンドアクセル制御と上限回転制御のいずれかを実行する。第２定回転制御の実行中に、第２スイッチ３８が初期位置に復帰するまでの計測時間が設定時間以内となる第２スイッチ３８の短押し操作が行われた場合には、第２定回転制御を終了するとともに、そのときの操作状態に応じて設定した目標回転数に基づいてフットアクセル制御とハンドアクセル制御と上限回転制御のいずれかを実行する。
【００８７】
この構成により、例えば、第１記憶回転数を耕耘作業に適したエンジン回転数に設定し、第２記憶回転数を代掻き作業に適したエンジン回転数に設定すれば、エンジン１の出力回転数がアイドリング回転数よりも高くなる操作位置にアクセルレバー３３を操作した後に、第１スイッチ３７を操作することにより、エンジン１の出力回転数を耕耘作業に適した第１記憶回転数に維持する定速状態（以下、第１記憶定速状態と称する）で車体を走行させることができる。また、エンジン１の出力回転数がアイドリング回転数よりも高くなる操作位置にアクセルレバー３３を操作した後に、第２スイッチ３８を操作することにより、エンジン１の出力回転数を代掻き作業に適した第２記憶回転数に維持する定速状態（以下、第２記憶定速状態と称する）で車体を走行させることができる。
【００８８】
そして、レバー設定回転数が枕地旋回に適したエンジン回転数になるようにアクセルレバー３３を操作しておけば、第１記憶定速状態においては、枕地旋回を開始する前に第１スイッチ３７を短押し操作することにより、枕地旋回に適したアクセルレバー３３による減速状態（以下、レバー減速状態と称する）を容易に得ることができ、枕地旋回の終了直前または枕地旋回の終了後に第１スイッチ３７を操作することにより、耕耘作業に適した第１記憶定速状態を容易に再現することができる。また、第２記憶定速状態においては、枕地旋回を開始する前に第２スイッチ３８を短押し操作することにより、レバー減速状態を容易に得ることができ、枕地旋回の終了直前または枕地旋回の終了後に第２スイッチ３８を操作することにより、代掻き作業に適した第２記憶定速状態を容易に再現することができる。
【００８９】
しかも、エンジン１の出力回転数がアイドリング回転数よりも高くなる操作位置にアクセルレバー３３を操作した場合にのみ、第１スイッチ３７または第２スイッチ３８の操作に基づいて定回転制御を実行するように構成していることにより、エンジン１からの伝動を遮断し、かつ、アクセルレバー３３をアイドリング位置に位置させた停車状態において、第１スイッチ３７または第２スイッチ３８の操作が行なわれても、その操作によってエンジン回転数制御手段３６が定回転制御を実行することはなく、これにより、その停車状態において、第１スイッチ３７または第２スイッチ３８の操作によってエンジン１の出力回転数が不必要に上昇することはない。
【００９０】
エンジン回転数制御手段３６は、第１定回転制御の実行中に第２スイッチ３８が操作されると、第１定回転制御から第２定回転制御に移行する。また、第２定回転制御の実行中に第１スイッチ３７が操作されると、第２定回転制御から第１定回転制御に移行する。
【００９１】
この構成により、例えば、第１記憶回転数を作業に適したエンジン回転数に設定し、第２記憶回転数を枕地旋回に適したエンジン回転数に設定すれば、エンジン１の出力回転数がアイドリング回転数よりも高くなる操作位置にアクセルレバー３３を操作した後に、第１スイッチ３７を操作することにより、作業に適した第１記憶定速状態で車体を走行させることができる。そして、枕地旋回を開始する前に第２スイッチ３８を操作することにより、枕地旋回に適した第２記憶定速状態を容易に得ることができ、枕地旋回の終了直前または枕地旋回の終了後に第１スイッチ３７を操作することにより、作業に適した第１記憶定速状態を容易に再現することができる。
【００９２】
エンジン回転数制御手段３６は、第１定回転制御の実行中にペダル設定回転数が第１記憶回転数よりも高くなると、第１定回転制御に優先してフットアクセル制御を実行する。そのフットアクセル制御の優先実行中に、ペダル設定回転数が第１記憶回転数よりも低くなると、フットアクセル制御を終了して第１定回転制御を再開する。また、第２定回転制御の実行中に、ペダル設定回転数が第２記憶回転数よりも高くなると、第２定回転制御に優先してフットアクセル制御を実行する。そのフットアクセル制御の優先実行中に、ペダル設定回転数が第２記憶回転数よりも低くなると、フットアクセル制御を終了して第２定回転制御を再開する。
【００９３】
この構成により、第１記憶定速状態において、ペダル設定回転数が第１記憶回転数よりも高くなるようにアクセルペダル３１を操作することにより、その操作を行なっている間、エンジン１の出力回転数を第１記憶回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することにより第１記憶定速状態に復帰させることができる。
【００９４】
また、第２記憶定速状態において、ペダル設定回転数が第２記憶回転数よりも高くなるようにアクセルペダル３１を操作することにより、その操作を行なっている間、エンジン１の出力回転数を第２記憶回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することにより第２記憶定速状態に復帰させることができる。
【００９５】
エンジン回転数制御手段３６は、第１定回転制御の実行中にレバー設定回転数がアイドリング回転数以下に低下すると、第１定回転制御を終了するとともに、そのときの操作状態に応じて設定した目標回転数に基づいてフットアクセル制御とハンドアクセル制御と上限回転制御のいずれかを実行する。また、第２定回転制御の実行中にレバー設定回転数がアイドリング回転数以下に低下すると、第２定回転制御を終了するとともに、そのときの操作状態に応じて設定した目標回転数に基づいてフットアクセル制御とハンドアクセル制御と上限回転制御のいずれかを実行する。
【００９６】
この構成により、エンジン１の出力回転数を第１記憶回転数または第２記憶回転数に維持する定速状態においては、レバー設定回転数がアイドリング回転数以下になるようにアクセルレバー３３を操作することにより、アクセルペダル３１を操作していない限り、エンジン１の出力回転数をアイドリング回転数以下に低下させた減速状態を得ることができる。
【００９７】
つまり、エンジン１の出力回転数を第１記憶回転数または第２記憶回転数に維持する記憶定速状態において、減速する必要が生じた場合には、レバー定速状態での減速操作と同様に、アクセルレバー３３を減速方向に操作する、といった慣れた操作で車速を低下させることができる。
【００９８】
エンジン回転数制御手段３６は、第１定回転制御の実行中にレバー設定回転数が第１記憶回転数よりも高くなると、第１定回転制御を終了するとともに、そのときの操作状態に応じて設定した目標回転数に基づいてフットアクセル制御とハンドアクセル制御と上限回転制御のいずれかを実行する。また、第２定回転制御の実行中にレバー設定回転数が第２記憶回転数よりも高くなると、第２定回転制御を終了するとともに、そのときの操作状態に応じて設定した目標回転数に基づいてフットアクセル制御とハンドアクセル制御と上限回転制御のいずれかを実行する。
【００９９】
この構成により、第１記憶定速状態において、レバー設定回転数が第１記憶回転数以下である場合には、レバー設定回転数が第１記憶回転数よりも高くなるようにアクセルレバー３３を操作することにより、エンジン１の出力回転数を第１記憶回転数よりも高いレバー設定回転数または上限回転数まで上昇させた増速状態で車体を走行させることができるとともに、その増速後の速度で車体を定速走行させることができる。
【０１００】
また、第２記憶定速状態において、レバー設定回転数が第２記憶回転数以下である場合には、レバー設定回転数が第２記憶回転数よりも高くなるようにアクセルレバー３３を操作することにより、エンジン１の出力回転数を第２記憶回転数よりも高いレバー設定回転数または上限回転数まで上昇させた増速状態で車体を走行させることができるとともに、その増速後の速度で車体を定速走行させることができる。
【０１０１】
つまり、エンジン１の出力回転数を第１記憶回転数または第２記憶回転数に維持する定速状態において、増速する必要が生じた場合には、レバー定速状態での増速操作と同様に、アクセルレバー３３を増速方向に操作する、といった慣れた操作で車速を上昇させて維持することができる。
【０１０２】
エンジン回転数制御手段３６は、第１定回転制御の実行中に上限回転数が第１記憶回転数よりも低くなると、第１定回転制御に優先して上限回転制御を実行する。その上限回転制御の優先実行中に、上限回転数が第１記憶回転数よりも高くなると、上限回転制御を終了して第１定回転制御を再開する。また、第２定回転制御の実行中に上限回転数が第２記憶回転数よりも低くなると、第２定回転制御に優先して上限回転制御を実行する。その上限回転制御の優先実行中に、上限回転数が第２記憶回転数よりも高くなると、上限回転制御を終了して第２定回転制御を再開する。
【０１０３】
つまり、第１記憶定速状態において、第１記憶回転数よりも上限回転数が低くなるように上限設定器３５を操作することにより、第１記憶定速状態よりも回転数の低い上限定速状態で車体を走行させることができる。そして、この上限定速状態において、第１記憶回転数よりも上限回転数が高くなるように上限設定器３５を操作することにより、第１記憶定速状態に簡単に復帰させることができる。
【０１０４】
また、第２記憶定速状態において、第２記憶回転数よりも上限回転数が低くなるように上限設定器３５を操作することにより、第２記憶定速状態よりも回転数の低い上限定速状態で車体を走行させることができる。そして、この上限定速状態において、第２記憶回転数よりも上限回転数が高くなるように上限設定器３５を操作することにより、第２記憶定速状態に簡単に復帰させることができる。
【０１０５】
この構成により、第１記憶回転数または第２記憶回転数を基準にした上限設定器３５の操作による定速回転数の微調整を行うことができる。その結果、圃場の状況などに応じた第１記憶回転数または第２記憶回転数の設定変更を容易に行える。
【０１０６】
しかも、第１記憶定速状態においてスリップが発生した場合には、上限回転数が第１記憶回転数よりも低くなるように上限設定器３５を操作することにより、また、第２記憶定速状態においてスリップが発生した場合には、上限回転数が第２記憶回転数よりも低くなるように上限設定器３５を操作することにより、スリップの度合いを弱めてグリップ力を上げることができ、スリップ状態から容易に脱出することができる。そして、スリップ状態からの脱出後に、第１記憶定速状態においては上限回転数が第１記憶回転数よりも高くなるように、また、第２記憶定速状態においては上限回転数が第２記憶回転数よりも高くなるように、上限設定器３５を操作することにより、エンジン１の出力回転数を第１記憶回転数または第２記憶回転数に維持する第１記憶定速状態または第２記憶定速状態に復帰させることができる。
【０１０７】
エンジン回転数制御手段３６は、第１スイッチ３７または第２スイッチ３８の操作に基づいて、第１定回転制御または第２定回転制御からフットアクセル制御とハンドアクセル制御と上限回転制御のいずれかに移行することにより、エンジン１の出力回転数が上昇する場合には、第１スイッチ３７または第２スイッチ３８の操作に基づいてエンジン１の出力回転数を低下させる場合よりも、エンジン回転数の変化速度が小さくなるようにエンジン１の出力回転数を制御する。
【０１０８】
これにより、エンジン１の出力回転数が上昇する場合の出力回転数の変化が、エンジン１の出力回転数が低下する場合よりも穏やかになる。その結果、エンジンの出力回転数を上昇させる増速走行時の速度の変化を、エンジンの出力回転数を低下させる減速走行時よりも滑らかにすることができ、増速走行時の乗り心地をさらに向上させることができる。
【０１０９】
エンジン回転数制御手段３６は、第１定回転制御の実行中に、第１スイッチ３７が初期位置に復帰するまでの計測時間が設定時間を超える第１スイッチ３７の長押し操作が行われた場合には、そのときの第１スイッチ３７の出力に基づいて、第１定回転制御から第１記憶回転数の設定変更を可能にする第１記憶回転数変更制御に移行する。また、第２定回転制御の実行中に、第２スイッチ３８が初期位置に復帰するまでの計測時間が設定時間を超える第２スイッチ３８の長押し操作が行われた場合には、そのときの第２スイッチ３８の出力に基づいて、第２定回転制御から第２記憶回転数の設定変更を可能にする第２記憶回転数変更制御に移行する。
【０１１０】
第１記憶回転数変更制御においては、第１スイッチ３７の短押し操作が行われると、そのときの第１スイッチ３７の出力に基づいて第１記憶回転数を一定回転数（例えば１０ｒｐｍ）だけ上昇させる。第２スイッチ３８の短押し操作が行われると、そのときの第２スイッチ３８の出力に基づいて第１記憶回転数を一定回転数（例えば１０ｒｐｍ）だけ低下させる。第１スイッチ３７の長押し操作が行われると、そのときの第１スイッチ３７の出力に基づいて、その出力が継続されている間（第１スイッチ３７の長押し操作が行われている間）、第１記憶回転数を連続して上昇させる。第２スイッチ３８の長押し操作が行われると、そのときの第２スイッチ１７の出力に基づいて、その出力が継続されている間（第２スイッチ３８の長押し操作が行われている間）、第１記憶回転数を連続して低下させる。そして、設定時間（例えば３秒間）の間、第１スイッチ３７の操作と第２スイッチ３８の操作のいずれも行われなかった場合には、その段階での回転数を第１記憶回転数として確定し、第１記憶回転数変更制御から第１定回転制御に移行する。
【０１１１】
第２記憶回転数変更制御においては、第１スイッチ３７の短押し操作が行われると、そのときの第１スイッチ３７の出力に基づいて第２記憶回転数を一定回転数（例えば１０ｒｐｍ）だけ上昇させる。第２スイッチ３８の短押し操作が行われると、そのときの第２スイッチ３８の出力に基づいて第２記憶回転数を一定回転数（例えば１０ｒｐｍ）だけ低下させる。第１スイッチ３７の長押し操作が行われると、そのときの第１スイッチ３７の出力に基づいて、その出力が継続されている間（第１スイッチ３７の長押し操作が行われている間）、第２記憶回転数を連続して上昇させる。第２スイッチ３８の長押し操作が行われると、そのときの第２スイッチ１７の出力に基づいて、その出力が継続されている間（第２スイッチ３８の長押し操作が行われている間）、第２記憶回転数を連続して低下させる。そして、設定時間（例えば３秒間）の間、第１スイッチ３７の操作と第２スイッチ３８の操作のいずれも行われなかった場合には、その段階での回転数を第２記憶回転数として確定し、第２記憶回転数変更制御から第２定回転制御に移行する。
【０１１２】
つまり、第１スイッチ３７および第２スイッチ３８を、第１定回転制御または第２定回転制御の実行を指令する指令手段、第１定回転制御から第１記憶回転数変更制御への移行、または、第２定回転制御から第２記憶回転数変更制御への移行を指令する指令手段、および、第１記憶回転数または第２記憶回転数を設定変更する設定器として機能させることができる。これにより、それぞれに対応する操作具を設ける場合に比較して、コストの削減や設置スペースの縮小を図ることができる。
【０１１３】
エンジン回転数制御手段３６は、キースイッチ３９をオン位置に操作した電源投入段階において、第１スイッチ３７の長押し操作が行われた場合には第１記憶回転数変更制御を実行し、第２スイッチ３８の長押し操作が行われた場合には第２記憶回転数変更制御を実行する。これにより、作業の開始前に第１記憶回転数および第２記憶回転数を作業などに応じて変更することができる。
【０１１４】
図２および図３に示すように、エンジン回転数制御手段３６は、第１定回転制御の実行が可能な状態において第１スイッチ３７が操作されると、そのときの押し操作に伴って、表示制御手段２１Ｂに表示情報を送信し、液晶表示部３０において、第１記憶回転数（ここでは「１８００」を例示してある）と、第１記憶回転数であることを示す第１識別記号４０（ここでは「Ａ」を例示してある）と、第１定回転制御または第２定回転制御の実行を示す第２識別記号４１（ここでは「ＡＵＴＯ」を例示してある）とを連続表示させる〔図３の（Ａ）参照〕。そして、第１スイッチ３７の初期位置への復帰に伴って第１定回転制御を開始する。
【０１１５】
また、第２定回転制御の実行が可能な状態において第２スイッチ３８が操作されると、そのときの押し操作に伴って、表示制御手段２１Ｂに表示情報を送信し、液晶表示部３０において、第２記憶回転数（ここでは「１０００」を例示してある）と、第２記憶回転数であることを示す第１識別記号４０（ここでは「Ｂ」を例示してある）と、第１定回転制御または第２定回転制御の実行を示す第２識別記号４１（ここでは「ＡＵＴＯ」）とを連続表示させる〔図３の（Ｂ）参照〕。そして、第２スイッチ３８の初期位置への復帰に伴って第２定回転制御を開始する。
【０１１６】
つまり、第１記憶回転数や第２記憶回転数などを表示する専用の表示部を設けることなく、第１定回転制御または第２定回転制御の開始に伴ってエンジン１の出力回転数が変更される前の段階で、それらの定回転制御での目標回転数などを液晶表示部３０に表示して運転者に視認させることができる。また、第１スイッチ３７または第２スイッチ３８の操作に伴って、液晶表示部３０の表示状態が、第１定回転制御または第２定回転制御での目標回転数などを表示する状態に切り替わることから、第１定回転制御または第２定回転制御での目標回転数などを常時表示する場合に比較して、運転者に視認させやすくすることができる。
【０１１７】
エンジン回転数制御手段３６は、エンジン１の出力回転数がアイドリング回転数以下になる操作位置にアクセルレバー３３が位置する状態において、第１スイッチ３７が操作されると、液晶表示部３０において、第１記憶回転数（ここでは「１８００」）と第１識別記号４０（ここでは「Ａ」）と第２識別記号４１（ここでは「ＡＵＴＯ」）とを間歇表示させる〔図３の（Ｃ）参照〕。
【０１１８】
また、エンジン１の出力回転数がアイドリング回転数以下になる操作位置にアクセルレバー３３が位置する状態において、第２スイッチ３８が操作されると、液晶表示部３０において、第２記憶回転数（ここでは「１０００」）と第１識別記号４０（ここでは「Ｂ」）と第２識別記号４１（ここでは「ＡＵＴＯ」）とを間歇表示させる〔図３の（Ｄ）参照〕。
【０１１９】
これにより、エンジン１の出力回転数がアイドリング回転数以下になる操作位置にアクセルレバー３３が位置することにより、第１スイッチ３７または第２スイッチ３８の操作にかかわらず、第１定回転制御または第２定回転制御が実行されないことを運転者に視認させることができる。
【０１２０】
エンジン回転数制御手段３６は、第１記憶回転数を目標回転数に設定した第１定回転制御の実行中に第１スイッチ３７が短押し操作されると、そのときの押し操作に伴って、表示制御手段２１Ｂに表示情報を送信し、液晶表示部３０において、第１記憶回転数に代えて、第１定回転制御終了後の操作状態に応じて設定する目標回転数（ここでは「１５００」を例示してある）を連続表示させるとともに、第１識別記号４０の表示を終了させる〔図３の（Ａ）および（Ｅ）参照〕。そして、第１スイッチ３７の初期位置への復帰に伴って第１定回転制御を終了し、そのときの操作状態に応じたフットアクセル制御とハンドアクセル制御と上限回転制御のうちのいずれかを開始する。
【０１２１】
また、第２記憶回転数を目標回転数に設定した第２定回転制御の実行中に第２スイッチ３８が短押し操作されると、そのときの押し操作に伴って、表示制御手段２１Ｂに表示情報を送信し、液晶表示部３０において、第２記憶回転数に代えて、第２定回転制御終了後の操作状態に応じて設定する目標回転数（ここでは「１５００」）を連続表示させるとともに、第１識別記号４０の表示を終了させる〔図３の（Ｂ）および（Ｅ）参照〕。そして、第２スイッチ３７の初期位置への復帰に伴って第２定回転制御を終了し、そのときの操作状態に応じたフットアクセル制御とハンドアクセル制御と上限回転制御のうちのいずれかを開始する。
【０１２２】
つまり、第１定回転制御または第２定回転制御からフットアクセル制御とハンドアクセル制御と上限回転制御とのいずれかへの移行に伴ってエンジン１の出力回転数が変更される前の段階で、第１定回転制御または第２定回転制御の終了後の目標回転数を液晶表示部３０に表示して運転者に視認させることができる。
【０１２３】
エンジン回転数制御手段３６は、第１定回転制御の実行中に第２スイッチ３８が操作されると、そのときの押し操作に伴って、表示制御手段２１Ｂに表示情報を送信し、液晶表示部３０において、第１記憶回転数（ここでは「１８００」）に代えて第２記憶回転数（ここでは「１０００」）を連続表示させ、第１識別記号４０を、第１記憶回転数を示すもの（ここでは「Ａ」）から第２記憶回転数を示すもの（ここでは「Ｂ」）に変更させる〔図３の（Ａ）および（Ｂ）参照〕。そして、第２スイッチ３８の初期位置への復帰に伴って第１定回転制御から第２定回転制御に移行する。
【０１２４】
また、第２定回転制御の実行中に第１スイッチ３７が操作されると、そのときの押し操作に伴って、表示制御手段２１Ｂに表示情報を送信し、液晶表示部３０において、第２記憶回転数（ここでは「１０００」）に代えて第１記憶回転数（ここでは「１８００」）を連続表示させ、第１識別記号４０を、第２記憶回転数を示すもの（ここでは「Ｂ」）から第１記憶回転数を示すもの（ここでは「Ａ」）に変更させる〔図３の（Ｂ）および（Ａ）参照〕。そして、第１スイッチ３７の初期位置への復帰に伴って第２定回転制御から第１定回転制御に移行する。
【０１２５】
つまり、第１定回転制御から第２定回転制御または第２定回転制御から第１定回転制御への移行に伴ってエンジン１の出力回転数が変更される前の段階で、移行後の第１定回転制御または第２定回転制御での目標回転数を液晶表示部３０に表示して運転者に視認させることができる。
【０１２６】
エンジン回転数制御手段３６は、第１定回転制御の実行中にペダル設定回転数が第１記憶回転数よりも高くなると、第１定回転制御に優先してフットアクセル制御を実行するとともに、表示制御手段２１Ｂに表示情報を送信し、液晶表示部３０における第２識別記号４１（ここでは「ＡＵＴＯ」）の表示を連続表示から間歇表示に変更させる〔図３の（Ａ）および（Ｆ）参照〕。
【０１２７】
このフットアクセル制御の優先実行中にペダル設定回転数が第１記憶回転数よりも低くなると、フットアクセル制御を終了して第１定回転制御を再開するとともに、表示制御手段２１Ｂに表示情報を送信し、液晶表示部３０における第２識別記号４１（ここでは「ＡＵＴＯ」）の表示を間歇表示から連続表示に変更させる〔図３の（Ｆ）および（Ａ）参照〕。
【０１２８】
また、第２定回転制御の実行中にペダル設定回転数が第２記憶回転数よりも高くなると、第２定回転制御に優先してフットアクセル制御を実行するとともに、表示制御手段２１Ｂに表示情報を送信し、液晶表示部３０における第２識別記号４１（ここでは「ＡＵＴＯ」）の表示を連続表示から間歇表示に変更させる〔図３の（Ｂ）および（Ｇ）参照〕。
【０１２９】
このフットアクセル制御の優先実行中にペダル設定回転数が第２記憶回転数よりも低くなると、フットアクセル制御を終了して第２定回転制御を再開するとともに、表示制御手段２１Ｂに表示情報を送信し、液晶表示部３０における第２識別記号４１（ここでは「ＡＵＴＯ」）の表示を間歇表示から連続表示に変更させる〔図３の（Ｇ）および（Ｂ）参照〕。
【０１３０】
つまり、第１定回転制御または第２定回転制御の実行中におけるアクセルペダル３１の操作により第１定回転制御または第２定回転制御からフットアクセル制御に移行する場合には、液晶表示部３０において、第１記憶回転数または第２記憶回転数とそれを示す第１識別記号４０とを連続表示させながら、第２識別記号４１を間歇表示させることにより、第１定回転制御または第２定回転制御からフットアクセル制御への移行を運転者に視認させることができる。また、フットアクセル制御の優先実行中におけるアクセルペダル３１の操作により第１定回転制御または第２定回転制御を再開する場合には、液晶表示部３０において、第１記憶回転数または第２記憶回転数とそれらに対応する第１識別記号４０と第２識別記号４１とを連続表示させることにより、第１定回転制御または第２定回転制御の再開と、再開する第１定回転制御または第２定回転制御での目標回転数とを運転者に視認させることができる。
【０１３１】
なお、フットアクセル制御への移行後のエンジン回転数はタコメータによって視認することができる。
【０１３２】
エンジン回転数制御手段３６は、第１定回転制御の実行中に上限回転数が第１記憶回転数よりも低くなると、第１定回転制御に優先して上限回転制御を実行するとともに、表示制御手段２１Ｂに表示情報を送信し、液晶表示部３０において、第１記憶回転数（ここでは「１８００」）に代えて上限回転数（ここでは「１７００」を例示してある）を連続表示させ、第１識別記号４０を、第１記憶回転数を示すもの（ここでは「Ａ」）から上限回転数を示すもの（ここでは「Ｌ」を例示してある）に変更させ、第２識別記号４１を、第１定回転制御または第２定回転制御の実行を示すもの（ここでは「ＡＵＴＯ」）から上限回転制御の優先実行を示すもの（ここでは「↑ＡＵＴＯ」を例示してある）に変更させる〔図３の（Ａ）および（Ｈ）参照〕。
【０１３３】
この上限回転制御の優先実行中に上限回転数が第１記憶回転数よりも高くなると、上限回転制御を終了して第１定回転制御を再開するとともに、表示制御手段２１Ｂに表示情報を送信し、液晶表示部３０において、上限回転数（ここでは「１７００」）に代えて第１記憶回転数（ここでは「１８００」）を連続表示させ、第１識別記号４０を、上限回転数を示すもの（ここでは「Ｌ」）から第１記憶回転数を示すもの（ここでは「Ａ」）に変更させ、第２識別記号４１を、上限回転制御の優先実行を示すもの（ここでは「↑ＡＵＴＯ」）から第１定回転制御または第２定回転制御の実行を示すもの（ここでは「ＡＵＴＯ」）に変更させる〔図３の（Ｈ）および（Ａ）参照〕。
【０１３４】
また、第２定回転制御の実行中に上限回転数が第２記憶回転数よりも低くなると、第２定回転制御に優先して上限回転制御を実行するとともに、表示制御手段２１Ｂに表示情報を送信し、液晶表示部３０において、第２記憶回転数（ここでは「１０００」）に代えて上限回転数（ここでは「９００」を例示してある）を連続表示させ、第１識別記号４０を、第２記憶回転数を示すもの（ここでは「Ｂ」）から上限回転数を示すもの（ここでは「Ｌ」）に変更させ、第２識別記号４１を、第１定回転制御または第２定回転制御の実行を示すもの（ここでは「ＡＵＴＯ」）から上限回転制御の優先実行を示すもの（ここでは「↑ＡＵＴＯ」）に変更させる〔図３の（Ｂ）および（Ｉ）参照〕。
【０１３５】
この上限回転制御の優先実行中に上限回転数が第２記憶回転数よりも高くなると、上限回転制御を終了して第２定回転制御を再開するとともに、表示制御手段２１Ｂに表示情報を送信し、液晶表示部３０において、上限回転数（ここでは「９００」）に代えて第２記憶回転数（ここでは「１０００」）を連続表示させ、第１識別記号４０を、上限回転数を示すもの（ここでは「Ｌ」）から第２記憶回転数を示すもの（ここでは「Ｂ」）に変更させ、第２識別記号４１を、上限回転制御の優先実行を示すもの（ここでは「↑ＡＵＴＯ」）から第１定回転制御または第２定回転制御の実行を示すもの（ここでは「ＡＵＴＯ」）に変更させる〔図３の（Ｉ）および（Ｂ）参照〕。
【０１３６】
つまり、第１定回転制御または第２定回転制御の実行中における上限設定器３５の操作により第１定回転制御または第２定回転制御から上限回転制御に移行する場合には、液晶表示部３０において、上限回転数とそれを示す第１識別記号４０と上限回転制御の優先実行を示す第２識別記号４１とを連続表示することにより、上限回転制御への移行と、そのときのエンジン１の出力回転数とを運転者に視認させることができる。また、上限回転制御の優先実行中における上限設定器３５の操作により第１定回転制御または第２定回転制御を再開する場合には、液晶表示部３０において、第１記憶回転数または第２記憶回転数とそれを示す第１識別記号４０と第１定回転制御または第２定回転制御の実行を示す第２識別記号４１とを連続表示することにより、第１定回転制御または第２定回転制御の再開と、再開する第１定回転制御または第２定回転制御での目標回転数とを運転者に視認させることができる。
【０１３７】
エンジン回転数制御手段３６は、上限回転数が第１記憶回転数よりも低い場合やペダル設定回転数が第１記憶回転数よりも高い場合に第１スイッチ３７が操作されると、その操作に伴って、表示制御手段２１Ｂに表示情報を送信し、液晶表示部３０において、第１記憶回転数（ここでは「１８００」）を間歇表示させ、第１識別記号４０（ここでは「Ａ」）と第２識別記号４１（ここでは「ＡＵＴＯ」）とを連続表示させる〔図３の（Ｊ）参照〕。
【０１３８】
また、上限回転数が第２記憶回転数よりも低い場合やペダル設定回転数が第２記憶回転数よりも高い場合に第２スイッチ３８が操作されると、その操作に伴って、表示制御手段２１Ｂに表示情報を送信し、液晶表示部３０において、第２記憶回転数（ここでは「１０００」）を間歇表示させ、第１識別記号４０（ここでは「Ｂ」）と第２識別記号４１（ここでは「ＡＵＴＯ」）とを連続表示させる〔図３の（Ｋ）参照〕。
【０１３９】
これにより、アクセルペダル３１や上限設定器３５の操作位置に起因して、第１スイッチ３７または第２スイッチ３８の操作にかかわらず、第１定回転制御または第２定回転制御が実行されていないことを運転者に視認させることができる。
【０１４０】
エンジン回転数制御手段３６は、第１定回転制御の実行中に第１スイッチ３７が長押し操作されると、第１定回転制御から第１記憶回転数変更制御に移行するとともに、表示制御手段２１Ｂに表示情報を送信し、液晶表示部３０における第１識別記号４０（ここでは「Ａ」）および第２識別記号４１（ここでは「ＡＵＴＯ」）の表示を連続表示から間歇表示に変更させる〔図３の（Ａ）および（Ｌ）参照〕。
【０１４１】
また、第２定回転制御の実行中に第２スイッチ３８が長押し操作されると、第２定回転制御から第２記憶回転数変更制御に移行するとともに、表示制御手段２１Ｂに表示情報を送信し、液晶表示部３０における第１識別記号４０（ここでは「Ｂ」）および第２識別記号４１（ここでは「ＡＵＴＯ」）の表示を連続表示から間歇表示に変更させる〔図３の（Ｂ）および（Ｍ）参照〕。
【０１４２】
これにより、第１スイッチ３７または第２スイッチ３８の操作により、第１定回転制御または第２定回転制御から第１記憶回転数変更制御または第２記憶回転数変更制御に移行して、第１記憶回転数または第２記憶回転数の設定変更が可能になっていることを運転者に視認させることができる。
【０１４３】
エンジン回転数制御手段３６は、第１記憶回転数変更制御または第２記憶回転数変更制御の実行中に第１スイッチ３７または第２スイッチ３８が操作されると、そのときの操作に基づいて、第１記憶回転数または第２記憶回転数を変更するとともに、表示制御手段２１Ｂに表示情報を送信し、液晶表示部３０において変更後の第１記憶回転数または第２記憶回転数を連続表示させる。
【０１４４】
これにより、第１スイッチ３７または第２スイッチ３８の操作による第１記憶回転数または第２記憶回転数の設定変更を視認しながら行なうことができる。
【０１４５】
エンジン回転数制御手段３６は、搭乗運転部８に配備した表示スイッチ４２が操作されると、表示制御手段２１Ｂに表示情報を送信し、液晶表示部３０での表示を、第１記憶回転数（ここでは「１８００」）と第１識別記号４０（ここでは「Ａ」）と第２識別記号４１（ここでは「ＡＵＴＯ」）とを連続表示する状態と、第２記憶回転数（ここでは「１０００」）と第１識別記号４０（ここでは「Ｂ」）と第２識別記号４１（ここでは「ＡＵＴＯ」）とを連続表示する状態とに、設定時間（例えば１秒）ごとに切り替える。
【０１４６】
なお、各種の制御プログラムやマップデータ、第１記憶回転数、および第２記憶回転数などは、制御装置２１に備えたＥＥＰＲＯＭやフラッシュメモリなどの不揮発性メモリからなる記憶手段２１Ｄに記憶させてある。
【０１４７】
〔別実施形態〕
【０１４８】
〔１〕作業車としては、乗用草刈機、乗用田植機、コンバイン、またはホイールドーザ、などであってもよい。
【０１４９】
〔２〕トラクタに装備する作業装置としては、フロントローダ、溝切り装置、または畦塗り装置、などであってもよい。
【０１５０】
〔３〕エンジン１としては、ディーゼルエンジンであってもよく、また、ガソリンエンジンであってもよい。
【０１５１】
〔４〕制御手段３６を、制御装置２１に備えるようにしてもよく、また、ＥＣＵ１６に備えるようにしてもよい。制御装置２１とＥＣＵ１６とを一体構成するようにしてもよい。
【０１５２】
〔５〕指令手段３７，３８を、第１接点と第２接点とを備えた中立復帰型の単一のスイッチで構成してもよい。
【０１５３】
〔６〕記憶手段２１Ｄに、単一の記憶回転数を記憶するようにしてもよく、また、３種類以上の記憶回転数を記憶するようにしてもよい。なお、記憶手段２１Ｄに単一の記憶回転数を記憶する場合には、単一の指令手段３７を備えるだけでよい。
【０１５４】
〔７〕第１定回転制御の実行中に、エンジン回転数が低くなる方向へのアクセルレバー３３の操作をレバーセンサ３４により検出し、かつ、その操作後のレバー設定回転数が第１記憶回転数よりも低くなる場合には、制御手段３６が、第１定回転制御を終了するとともに、フットアクセル制御とハンドアクセル制御のうち、制御目標とするエンジン回転数が高い側のアクセル制御を実行し、第２定回転制御の実行中に、エンジン回転数が低くなる方向へのアクセルレバー３３の操作をレバーセンサ３４により検出し、かつ、その操作後のレバー設定回転数が第２記憶回転数よりも低くなる場合には、制御手段３６が、第２定回転制御を終了するとともに、フットアクセル制御とハンドアクセル制御のうち、制御目標とするエンジン回転数が高い側のアクセル制御を実行するように構成してもよい。
【符号の説明】
【０１５５】
１      エンジン
２１Ｄ  記憶手段
３１    アクセルペダル
３２    ペダルセンサ
３３    アクセルレバー
３４    レバーセンサ
３５    上限設定手段
３６    制御手段
３７    指令手段
３８    指令手段
【図１】
2012132471.tif 000003
【図２】
2012132471.tif 000004
【図３】
2012132471.tif 000005
【手続補正書】
【提出日】平成24年5月24日(2012.5.24)
【手続補正１】
【補正対象書類名】明細書
【補正対象項目名】全文
【補正方法】変更
【補正の内容】
【発明の詳細な説明】
【技術分野】
【０００１】
本発明は、作業車のアクセル制御構造に関する。
【背景技術】
【０００２】
上記のような作業車のアクセル制御構造としては、指令手段となるスイッチのオン操作によって、ハンドアクセル制御に優先して定回転制御を実行するように構成したものがある（例えば特許文献１参照）。
【先行技術文献】
【特許文献】
【０００３】
【特許文献１】特開平１−１９５９３３号公報
【発明の概要】
【発明が解決しようとする課題】
【０００４】
【０００５】
【課題を解決するための手段】
【０００６】
上記の目的を達成するため、本発明の特徴構成は、アクセル操作具の操作位置を検出するセンサの出力に基づいて、前記センサの出力に対応するエンジン回転数がエンジンの出力回転数として得られるように前記出力回転数を制御するアクセル制御と、
記憶手段に記憶したエンジン回転数の読み出しを指令する人為操作式の指令手段の操作に基づいて、前記記憶手段に記憶したエンジン回転数が前記出力回転数として得られるように前記出力回転数を制御する定回転制御との何れかを実行する制御手段を備えた作業車のアクセル制御構造であって、
前記定回転制御の実行中に、前記センサの出力に対応するエンジン回転数が前記記憶手段に記憶したエンジン回転数よりも高くなると、前記制御手段が、前記定回転制御に優先して前記アクセル制御を実行し、そのアクセル制御の実行中に、前記センサの出力に対応するエンジン回転数が前記記憶手段に記憶したエンジン回転数よりも低くなると、前記制御手段が、前記アクセル制御を終了して前記定回転制御を再開するように構成してあることを特徴とする。
【０００７】
本発明の更なる特徴構成は、前記アクセル操作具は、アクセルペダルを含めて構成されている。
【０００８】
【０００９】
【００１０】
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【図面の簡単な説明】
【００５２】
【図１】トラクタの全体側面図
【図２】制御構成を示すブロック図
【図３】液晶表示部での表示内容の切り替えを示す図
【発明を実施するための形態】
【００５３】
以下、本発明を実施するための最良の形態の一例として、本発明に係る作業車のアクセル制御構造を、作業車の一例であるトラクタに適用した実施形態を図面に基づいて説明する。
【００５４】
図１はトラクタの全体側面図である。このトラクタは、その前部にエンジン１を搭載してある。エンジン１が出力する回転動力は、その回転動力を断続するクラッチ（図示せず）や、フレーム兼用のトランスミッションケース２に内蔵した変速装置（図示せず）などを介して左右一対の前輪３と後輪４、および、トランスミッションケース２の後部から後方に向けて突設した動力取出軸５に伝達する。トラクタの後部には、前輪操舵用のステアリングホイール６や運転座席７などを配備して搭乗運転部８を形成し、搭乗運転部８を覆うキャビン９を装備してある。
【００５５】
図２に示すように、エンジン１には、燃料の噴射量や噴射タイミングを電子制御するコモンレール式の燃料噴射装置１０を備えている。燃料噴射装置１０は、燃料タンク１１に貯留した燃料を圧送するサプライポンプ１２、圧送した燃料を蓄圧するコモンレール１３、蓄圧した燃料を燃料室（図示せず）に噴射する複数のインジェクタ１４、コモンレール１３の内圧を検出する圧力センサ１５、および、圧力センサ１５などの出力に基づいてサプライポンプ１２や各インジェクタ１４などの作動を制御するエンジンコントロールユニット（以下、ＥＣＵと略称する）１６、などを備えて構成してある。
【００５６】
図１に示すように、トランスミッションケース２の後部には、左右一対のリフトアーム１７と作業装置連結用のリンク機構１８、および、左右のリフトアーム１７を上下方向に揺動駆動する左右一対のリフトシリンダ１９、などを装備してある。これにより、ロータリ耕耘装置やプラウなどの各種の作業装置（図示せず）を、作業内容に応じて、昇降可能または昇降可能かつローリング可能に付け替え装備することができる。
【００５７】
左右のリフトシリンダ１９には単動型の油圧シリンダを採用してある。左右のリフトシリンダ１９は、それらに対する作動油の流れが電磁制御弁２０の作動で制御されることにより伸縮作動する。
【００５８】
図２に示すように、このトラクタにはマイクロコンピュータからなる制御装置２１を搭載してある。制御装置２１には、作業装置の昇降を制御する昇降制御手段２１Ａを制御プログラムとして備えてある。
【００５９】
昇降制御手段２１Ａは、作業装置を任意の高さ位置に位置させるポジション制御や、作業装置を上限位置まで強制上昇させる強制上昇制御、などを実行するように構成してある。
【００６０】
ポジション制御では、第１昇降レバー２２の操作位置を検出する第１レバーセンサ２３の出力と、リフトアーム１７の上下揺動角度を検出するリフトアームセンサ２４の出力と、それらの出力を対応させた昇降用のマップデータとに基づいて、リフトアームセンサ２４の出力が第１レバーセンサ２３の出力に対応する（第１レバーセンサ２３の出力の不感帯幅内に収まる）ように、電磁制御弁２０の作動を制御して左右のリフトシリンダ１９を伸縮作動させる。
【００６１】
強制上昇制御は、第２昇降レバー２５の操作を検出する第２レバーセンサ２６が、第２昇降レバー２５の中立位置から上方への操作を検出した場合に、他の昇降制御に優先して実行する。強制上昇制御では、リフトアームセンサ２４の出力と予め設定した昇降上限値とに基づいて、リフトアームセンサ２４の出力が昇降上限値に対応する（昇降上限値の不感帯幅内に収まる）ように、電磁制御弁２０の作動を制御して左右のリフトシリンダ１９を伸長作動させる。この強制上昇後に第２レバーセンサ２６が第２昇降レバー２５の中立位置から下方への操作を検出すると、第１レバーセンサ２３の出力と、リフトアームセンサ２４の出力と、昇降用のマップデータとに基づいて、リフトアームセンサ２４の出力が第１レバーセンサ２３の出力に対応する（第１レバーセンサ２３の出力の不感帯幅内に収まる）ように、電磁制御弁２０の作動を制御して左右のリフトシリンダ１９を収縮作動させ、その後、強制上昇制御を終了する。
【００６２】
昇降用のマップデータは、第１レバーセンサ２３の出力を作業装置の目標高さ位置とし、リフトアームセンサ２４の出力を作業装置の実高さ位置として、それらの出力を対応させてある。
【００６３】
つまり、第１昇降レバー２２の操作に基づいて昇降制御手段２１Ａが任意昇降制御を実行することにより、第１昇降レバー２２の操作位置に対応する任意の高さ位置まで作業装置を昇降させることができる。
【００６４】
また、第２昇降レバー２５の操作に基づいて昇降制御手段２１Ａが強制上昇制御を実行することにより、予め設定した昇降上限値に対応する昇降上限位置まで作業装置を自動上昇させることができるとともに、第１昇降レバー２２の操作位置に対応する任意の高さ位置まで作業装置を自動下降させることができる。
【００６５】
これにより、例えば、トラクタの後部にロータリ耕耘装置などの作業装置を連結して耕耘作業を行う場合には、第１昇降レバー２２の操作により、所望の耕深が得られるように作業装置の高さ位置を任意に設定して耕耘作業を行い、この耕耘作業中に畦際で車体を方向転換させる枕地旋回を開始する際には、第２昇降レバー２５を上方に向けて操作することにより、作業装置を上限位置まで簡単に上昇させることができる。その結果、作業装置が接地しながら旋回することに起因して旋回内側が掘れる、といった不都合の発生を容易に回避することができる。また、枕地旋回の終了直前に第２昇降レバー２５を下方に向けて操作することにより、第１昇降レバー２２の操作で設定した任意の作業高さ位置まで作業装置を簡単に下降させることができる。その結果、枕地旋回の終了とともに耕耘作業を再開させることができる。
【００６６】
第１昇降レバー２２は、前後揺動式の位置保持型で運転座席７の右側方に配備してある。第２昇降レバー２５は、上下揺動式の中立復帰型でステアリングホイール６の右下方に配備してある。第１レバーセンサ２３およびリフトアームセンサ２４には回転式のポテンショメータを採用してある。第２レバーセンサ２６には、第２昇降レバー２５の上方への操作に連動して閉操作される第１接点と、第２昇降レバー２５の下方への操作に連動して閉操作される第２接点とを備えたスイッチを採用してある。
【００６７】
制御装置２１には、エンジン１の出力回転数を検出する電磁ピックアップ式の回転センサ２７などの出力に基づいて、エンジン１の出力回転数などの情報を、搭乗運転部８に備えた表示パネル２８のタコメータ（図示せず）などにより表示させる表示制御手段２１Ｂを制御プログラムとして備えてある。表示制御手段２１Ｂは、表示パネル２８の近傍に配備した表示切替スイッチ２９の操作などに基づいて、表示パネル２８に備えた液晶表示部３０の表示状態を、アワーメータや燃料の残量などを表示する状態や、変速段数や車速などの車速に関する情報を表示する状態、などに切り替える。  
【００６８】
制御装置２１には、エンジン１の目標回転数を設定する目標回転数設定手段２１Ｃを制御プログラムとして備えてある。また、アクセルペダル３１の操作位置を検出するペダルセンサ３２の出力とエンジン回転数とを対応させた第１マップデータ、アクセルレバー３３の操作位置を検出するレバーセンサ３４の出力とエンジン回転数とを対応させた第２マップデータ、および、エンジン回転数の上限を設定する上限設定器（上限設定手段の一例）３５の出力とエンジン回転数とを対応させた第３マップデータ、などを備えてある。
【００６９】
目標回転数設定手段２１Ｃは、ペダルセンサ３２の出力と第１マップデータとに基づいてペダルセンサ３２の出力に対応するエンジン回転数（以下、ペダル設定回転数と称する）を選定する。レバーセンサ３４の出力と第２マップデータとに基づいてレバーセンサ３４の出力に対応するエンジン回転数（以下、レバー設定回転数と称する）を選定する。上限設定器３５の出力と第３マップデータとに基づいて上限設定器３５の出力に対応するエンジン回転数（以下、上限回転数と称する）を選定する。
【００７０】
そして、選定したそれらの回転数を比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００７１】
アクセルペダル３１は、踏み込み操作式の初期位置復帰型で搭乗運転部８の右足元部に配備してある。アクセルレバー３３は、前後揺動式の位置保持型で運転座席７の右側方に配備してある。上限設定器３５は、回転式のポテンショメータなどによりダイヤル式に構成してある。
【００７２】
ＥＣＵ１６には、制御装置２１の目標回転数設定手段２１Ｃにより設定した目標回転数や、制御装置２１を経由して入力された回転センサ２７の出力などに基づいて、目標回転数がエンジン１の出力回転数として得られるようにサプライポンプ１２や各インジェクタ１４などの作動を制御する燃料噴射制御手段１６Ａを制御プログラムとして備えてある。
【００７３】
そして、制御装置２１の目標回転数設定手段２１ＣとＥＣＵ１６の燃料噴射制御手段１６Ａにより、エンジン１の出力回転数を制御するエンジン回転数制御手段（制御手段の一例）３６を構成してある。
【００７４】
エンジン回転数制御手段３６は、ペダル設定回転数およびレバー設定回転数が上限回転数よりも低い状態において、ペダル設定回転数がレバー設定回転数よりも高い場合には、ペダル設定回転数を目標回転数に設定し、そのペダル設定回転数がエンジン１の出力回転数として得られるようにエンジン１の出力回転数を制御するフットアクセル制御を実行する。逆に、レバー設定回転数がペダル設定回転数よりも高い場合には、レバー設定回転数を目標回転数に設定し、そのレバー設定回転数がエンジン１の出力回転数として得られるようにエンジン１の出力回転数を制御するハンドアクセル制御を実行する。また、ペダル設定回転数およびレバー設定回転数のうちのいずれか一方が上限回転数よりも高い場合には、上限回転数を目標回転数に設定し、その上限回転数がエンジン１の出力回転数として得られるようにエンジン１の出力回転数を制御する上限回転制御を実行する。
【００７５】
この構成により、例えば、アクセルレバー３３を任意の操作位置に操作し、かつ、レバー設定回転数よりも上限回転数が低くならないように上限設定器３５を操作することにより、エンジン１の出力回転数をレバー設定回転数に維持するレバー定速状態で車体を走行させることができる。このレバー定速状態において、ペダル設定回転数がレバー設定回転数よりも高くなるようにアクセルペダル３１を操作することにより、その操作を行なっている間、エンジン１の出力回転数をレバー設定回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することによりレバー定速状態に簡単に復帰させることができる。
【００７６】
つまり、レバー定速状態と上限定速状態との高低２段の定速状態を得ることができるとともに、レバー定速状態と上限定速状態とにわたる任意の変速操作を行うことができる。
【００７７】
また、レバー定速状態において、レバー設定回転数よりも上限回転数が低くなるように上限設定器３５を操作することにより、レバー定速状態よりも回転数の低い上限定速状態で車体を走行させることができる。そして、この上限定速状態において、レバー設定回転数よりも上限回転数が高くなるように上限設定器３５を操作することにより、レバー定速状態に簡単に復帰させることができる。
【００７８】
つまり、レバー設定回転数を基準にした上限設定器３５の操作による定速回転数の微調整を行うことができる。その結果、圃場の状況などに応じた定速回転数の設定変更を容易に行える。
【００７９】
さらに、例えば、アクセルレバー３３をアイドリング位置に操作し、かつ、上限回転数が作業に適したエンジン回転数になるように上限設定器３５を操作すれば、アクセルペダル３１を操作限界位置まで操作することにより、エンジン１の出力回転数を作業に適した上限回転数に維持する上限定速状態で車体を走行させることができる。この上限定速状態において、ペダル設定回転数が上限回転数よりも低くなるようにアクセルペダル３１の操作を緩めることにより、エンジン１の出力回転数を上限回転数よりも低くしたペダル減速状態で車体を走行させることができる。このペダル減速状態において、再びアクセルペダル３１を操作限界位置まで操作することにより上限定速状態に復帰させることができる。
【００８０】
このように、上限回転数が作業に適したエンジン回転数になるように上限設定器３５を操作すれば、作業中の直進走行時には、アクセルペダル３１を操作限界位置まで操作することにより、圃場の荒れ具合などに起因した車体の揺れに関係なく、アクセルペダル３１の操作による作業に適した定速状態を安定して得ることができる。そして、枕地旋回を行なう場合には、枕地旋回を開始する前にアクセルペダル３１の操作を緩めることにより、枕地旋回に適した減速状態を容易に得ることができる。また、定速状態においてスリップが発生した場合には、アクセルペダル３１の操作を緩めてエンジン回転数を低下させることにより、スリップの度合いを弱めてグリップ力を上げることができ、スリップ状態から容易に脱出することができる。そして、枕地旋回後またはスリップ状態からの脱出後にアクセルペダル３１を操作限界位置まで操作することにより、作業に適した定速状態を容易に再現することができる。
【００８１】
つまり、直進走行と枕地旋回とを繰り返す往復作業に適した走行状態や、スリップが発生しやすいプラウやサブソイラなどの作業装置を連結した重牽引作業に適した走行状態を簡単に得ることができる。
【００８２】
制御装置２１には、運転座席７の右側方に配備したモーメンタリスイッチからなる第１スイッチ３７の操作に基づいて読み出される第１記憶回転数と、第１スイッチ３７に隣接配備したモーメンタリスイッチからなる第２スイッチ３８の操作に基づいて読み出される第２記憶回転数とを備えてある。
【００８３】
目標回転数設定手段２１Ｃは、基本的には、エンジン１の出力回転数がアイドリング回転数よりも高くなる操作位置にアクセルレバー３３を操作したレバー定速状態において、第１スイッチ３７が操作されると、第１スイッチ３７の出力に基づいて第１記憶回転数を目標回転数に設定する。第１記憶回転数を目標回転数に設定した状態において、第１スイッチ３７が操作されると、第１スイッチ３７が初期位置に復帰するまでの時間を計測し、その計測時間が設定時間以内（例えば３秒以内）であれば、そのときの第１スイッチ３７の出力に基づいて、ペダル設定回転数とレバー設定回転数と上限回転数とを比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００８４】
また、エンジン１の出力回転数がアイドリング回転数よりも高くなる操作位置にアクセルレバー３３を操作したレバー定速状態において、第２スイッチ３８が操作されると、第２スイッチ３８の出力に基づいて第２記憶回転数を目標回転数に設定する。第２記憶回転数を目標回転数に設定した状態において、第２スイッチ３８が操作されると、第２スイッチ３８が初期位置に復帰するまでの時間を計測し、その計測時間が設定時間以内（例えば３秒以内）であれば、そのときの第２スイッチ３８の出力に基づいて、ペダル設定回転数とレバー設定回転数と上限回転数とを比較し、ペダル設定回転数およびレバー設定回転数が上限回転数よりも低い場合には、ペダル設定回転数とレバー設定回転数のうちの高い側の回転数を目標回転数に設定する。ペダル設定回転数およびレバー設定回転数のうちのいずれか一方が上限回転数よりも高い場合には、上限回転数を目標回転数に設定する。
【００８５】
つまり、エンジン回転数制御手段３６は、レバー定速状態において第１スイッチ３７が操作されると、第１記憶回転数を目標回転数に設定し、その第１記憶回転数がエンジン１の出力回転数として得られるようにエンジン１の出力回転数を制御する第１定回転制御を実行する。レバー定速状態において第２スイッチ３８が操作されると、第２記憶回転数を目標回転数に設定し、その第２記憶回転数がエンジン１の出力回転数として得られるようにエンジン１の出力回転数を制御する第２定回転制御を実行する。
【００８６】
また、第１定回転制御の実行中に、第１スイッチ３７が初期位置に復帰するまでの計測時間が設定時間以内となる第１スイッチ３７の短押し操作が行われた場合には、第１定回転制御を終了するとともに、そのときの操作状態に応じて設定した目標回転数に基づいてフットアクセル制御とハンドアクセル制御と上限回転制御のいずれかを実行する。第２定回転制御の実行中に、第２スイッチ３８が初期位置に復帰するまでの計測時間が設定時間以内となる第２スイッチ３８の短押し操作が行われた場合には、第２定回転制御を終了するとともに、そのときの操作状態に応じて設定した目標回転数に基づいてフットアクセル制御とハンドアクセル制御と上限回転制御のいずれかを実行する。
【００８７】
この構成により、例えば、第１記憶回転数を耕耘作業に適したエンジン回転数に設定し、第２記憶回転数を代掻き作業に適したエンジン回転数に設定すれば、エンジン１の出力回転数がアイドリング回転数よりも高くなる操作位置にアクセルレバー３３を操作した後に、第１スイッチ３７を操作することにより、エンジン１の出力回転数を耕耘作業に適した第１記憶回転数に維持する定速状態（以下、第１記憶定速状態と称する）で車体を走行させることができる。また、エンジン１の出力回転数がアイドリング回転数よりも高くなる操作位置にアクセルレバー３３を操作した後に、第２スイッチ３８を操作することにより、エンジン１の出力回転数を代掻き作業に適した第２記憶回転数に維持する定速状態（以下、第２記憶定速状態と称する）で車体を走行させることができる。
【００８８】
そして、レバー設定回転数が枕地旋回に適したエンジン回転数になるようにアクセルレバー３３を操作しておけば、第１記憶定速状態においては、枕地旋回を開始する前に第１スイッチ３７を短押し操作することにより、枕地旋回に適したアクセルレバー３３による減速状態（以下、レバー減速状態と称する）を容易に得ることができ、枕地旋回の終了直前または枕地旋回の終了後に第１スイッチ３７を操作することにより、耕耘作業に適した第１記憶定速状態を容易に再現することができる。また、第２記憶定速状態においては、枕地旋回を開始する前に第２スイッチ３８を短押し操作することにより、レバー減速状態を容易に得ることができ、枕地旋回の終了直前または枕地旋回の終了後に第２スイッチ３８を操作することにより、代掻き作業に適した第２記憶定速状態を容易に再現することができる。
【００８９】
しかも、エンジン１の出力回転数がアイドリング回転数よりも高くなる操作位置にアクセルレバー３３を操作した場合にのみ、第１スイッチ３７または第２スイッチ３８の操作に基づいて定回転制御を実行するように構成していることにより、エンジン１からの伝動を遮断し、かつ、アクセルレバー３３をアイドリング位置に位置させた停車状態において、第１スイッチ３７または第２スイッチ３８の操作が行なわれても、その操作によってエンジン回転数制御手段３６が定回転制御を実行することはなく、これにより、その停車状態において、第１スイッチ３７または第２スイッチ３８の操作によってエンジン１の出力回転数が不必要に上昇することはない。
【００９０】
エンジン回転数制御手段３６は、第１定回転制御の実行中に第２スイッチ３８が操作されると、第１定回転制御から第２定回転制御に移行する。また、第２定回転制御の実行中に第１スイッチ３７が操作されると、第２定回転制御から第１定回転制御に移行する。
【００９１】
この構成により、例えば、第１記憶回転数を作業に適したエンジン回転数に設定し、第２記憶回転数を枕地旋回に適したエンジン回転数に設定すれば、エンジン１の出力回転数がアイドリング回転数よりも高くなる操作位置にアクセルレバー３３を操作した後に、第１スイッチ３７を操作することにより、作業に適した第１記憶定速状態で車体を走行させることができる。そして、枕地旋回を開始する前に第２スイッチ３８を操作することにより、枕地旋回に適した第２記憶定速状態を容易に得ることができ、枕地旋回の終了直前または枕地旋回の終了後に第１スイッチ３７を操作することにより、作業に適した第１記憶定速状態を容易に再現することができる。
【００９２】
エンジン回転数制御手段３６は、第１定回転制御の実行中にペダル設定回転数が第１記憶回転数よりも高くなると、第１定回転制御に優先してフットアクセル制御を実行する。そのフットアクセル制御の優先実行中に、ペダル設定回転数が第１記憶回転数よりも低くなると、フットアクセル制御を終了して第１定回転制御を再開する。また、第２定回転制御の実行中に、ペダル設定回転数が第２記憶回転数よりも高くなると、第２定回転制御に優先してフットアクセル制御を実行する。そのフットアクセル制御の優先実行中に、ペダル設定回転数が第２記憶回転数よりも低くなると、フットアクセル制御を終了して第２定回転制御を再開する。
【００９３】
この構成により、第１記憶定速状態において、ペダル設定回転数が第１記憶回転数よりも高くなるようにアクセルペダル３１を操作することにより、その操作を行なっている間、エンジン１の出力回転数を第１記憶回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することにより第１記憶定速状態に復帰させることができる。
【００９４】
また、第２記憶定速状態において、ペダル設定回転数が第２記憶回転数よりも高くなるようにアクセルペダル３１を操作することにより、その操作を行なっている間、エンジン１の出力回転数を第２記憶回転数からペダル設定回転数に上昇させたペダル増速状態で車体を走行させることができる。このペダル増速状態において、ペダル設定回転数が上限回転数よりも高くなると、エンジン１の出力回転数を上限回転数に制限する上限定速状態で車体を走行させることができる。そして、アクセルペダル３１の操作を解除することにより第２記憶定速状態に復帰させることができる。
【００９５】
エンジン回転数制御手段３６は、第１定回転制御の実行中にレバー設定回転数がアイドリング回転数以下に低下すると、第１定回転制御を終了するとともに、そのときの操作状態に応じて設定した目標回転数に基づいてフットアクセル制御とハンドアクセル制御と上限回転制御のいずれかを実行する。また、第２定回転制御の実行中にレバー設定回転数がアイドリング回転数以下に低下すると、第２定回転制御を終了するとともに、そのときの操作状態に応じて設定した目標回転数に基づいてフットアクセル制御とハンドアクセル制御と上限回転制御のいずれかを実行する。
【００９６】
この構成により、エンジン１の出力回転数を第１記憶回転数または第２記憶回転数に維持する定速状態においては、レバー設定回転数がアイドリング回転数以下になるようにアクセルレバー３３を操作することにより、アクセルペダル３１を操作していない限り、エンジン１の出力回転数をアイドリング回転数以下に低下させた減速状態を得ることができる。
【００９７】
つまり、エンジン１の出力回転数を第１記憶回転数または第２記憶回転数に維持する記憶定速状態において、減速する必要が生じた場合には、レバー定速状態での減速操作と同様に、アクセルレバー３３を減速方向に操作する、といった慣れた操作で車速を低下させることができる。
【００９８】
エンジン回転数制御手段３６は、第１定回転制御の実行中にレバー設定回転数が第１記憶回転数よりも高くなると、第１定回転制御を終了するとともに、そのときの操作状態に応じて設定した目標回転数に基づいてフットアクセル制御とハンドアクセル制御と上限回転制御のいずれかを実行する。また、第２定回転制御の実行中にレバー設定回転数が第２記憶回転数よりも高くなると、第２定回転制御を終了するとともに、そのときの操作状態に応じて設定した目標回転数に基づいてフットアクセル制御とハンドアクセル制御と上限回転制御のいずれかを実行する。
【００９９】
この構成により、第１記憶定速状態において、レバー設定回転数が第１記憶回転数以下である場合には、レバー設定回転数が第１記憶回転数よりも高くなるようにアクセルレバー３３を操作することにより、エンジン１の出力回転数を第１記憶回転数よりも高いレバー設定回転数または上限回転数まで上昇させた増速状態で車体を走行させることができるとともに、その増速後の速度で車体を定速走行させることができる。
【０１００】
また、第２記憶定速状態において、レバー設定回転数が第２記憶回転数以下である場合には、レバー設定回転数が第２記憶回転数よりも高くなるようにアクセルレバー３３を操作することにより、エンジン１の出力回転数を第２記憶回転数よりも高いレバー設定回転数または上限回転数まで上昇させた増速状態で車体を走行させることができるとともに、その増速後の速度で車体を定速走行させることができる。
【０１０１】
つまり、エンジン１の出力回転数を第１記憶回転数または第２記憶回転数に維持する定速状態において、増速する必要が生じた場合には、レバー定速状態での増速操作と同様に、アクセルレバー３３を増速方向に操作する、といった慣れた操作で車速を上昇させて維持することができる。
【０１０２】
エンジン回転数制御手段３６は、第１定回転制御の実行中に上限回転数が第１記憶回転数よりも低くなると、第１定回転制御に優先して上限回転制御を実行する。その上限回転制御の優先実行中に、上限回転数が第１記憶回転数よりも高くなると、上限回転制御を終了して第１定回転制御を再開する。また、第２定回転制御の実行中に上限回転数が第２記憶回転数よりも低くなると、第２定回転制御に優先して上限回転制御を実行する。その上限回転制御の優先実行中に、上限回転数が第２記憶回転数よりも高くなると、上限回転制御を終了して第２定回転制御を再開する。
【０１０３】
つまり、第１記憶定速状態において、第１記憶回転数よりも上限回転数が低くなるように上限設定器３５を操作することにより、第１記憶定速状態よりも回転数の低い上限定速状態で車体を走行させることができる。そして、この上限定速状態において、第１記憶回転数よりも上限回転数が高くなるように上限設定器３５を操作することにより、第１記憶定速状態に簡単に復帰させることができる。
【０１０４】
また、第２記憶定速状態において、第２記憶回転数よりも上限回転数が低くなるように上限設定器３５を操作することにより、第２記憶定速状態よりも回転数の低い上限定速状態で車体を走行させることができる。そして、この上限定速状態において、第２記憶回転数よりも上限回転数が高くなるように上限設定器３５を操作することにより、第２記憶定速状態に簡単に復帰させることができる。
【０１０５】
この構成により、第１記憶回転数または第２記憶回転数を基準にした上限設定器３５の操作による定速回転数の微調整を行うことができる。その結果、圃場の状況などに応じた第１記憶回転数または第２記憶回転数の設定変更を容易に行える。
【０１０６】
しかも、第１記憶定速状態においてスリップが発生した場合には、上限回転数が第１記憶回転数よりも低くなるように上限設定器３５を操作することにより、また、第２記憶定速状態においてスリップが発生した場合には、上限回転数が第２記憶回転数よりも低くなるように上限設定器３５を操作することにより、スリップの度合いを弱めてグリップ力を上げることができ、スリップ状態から容易に脱出することができる。そして、スリップ状態からの脱出後に、第１記憶定速状態においては上限回転数が第１記憶回転数よりも高くなるように、また、第２記憶定速状態においては上限回転数が第２記憶回転数よりも高くなるように、上限設定器３５を操作することにより、エンジン１の出力回転数を第１記憶回転数または第２記憶回転数に維持する第１記憶定速状態または第２記憶定速状態に復帰させることができる。
【０１０７】
エンジン回転数制御手段３６は、第１スイッチ３７または第２スイッチ３８の操作に基づいて、第１定回転制御または第２定回転制御からフットアクセル制御とハンドアクセル制御と上限回転制御のいずれかに移行することにより、エンジン１の出力回転数が上昇する場合には、第１スイッチ３７または第２スイッチ３８の操作に基づいてエンジン１の出力回転数を低下させる場合よりも、エンジン回転数の変化速度が小さくなるようにエンジン１の出力回転数を制御する。
【０１０８】
これにより、エンジン１の出力回転数が上昇する場合の出力回転数の変化が、エンジン１の出力回転数が低下する場合よりも穏やかになる。その結果、エンジンの出力回転数を上昇させる増速走行時の速度の変化を、エンジンの出力回転数を低下させる減速走行時よりも滑らかにすることができ、増速走行時の乗り心地をさらに向上させることができる。
【０１０９】
エンジン回転数制御手段３６は、第１定回転制御の実行中に、第１スイッチ３７が初期位置に復帰するまでの計測時間が設定時間を超える第１スイッチ３７の長押し操作が行われた場合には、そのときの第１スイッチ３７の出力に基づいて、第１定回転制御から第１記憶回転数の設定変更を可能にする第１記憶回転数変更制御に移行する。また、第２定回転制御の実行中に、第２スイッチ３８が初期位置に復帰するまでの計測時間が設定時間を超える第２スイッチ３８の長押し操作が行われた場合には、そのときの第２スイッチ３８の出力に基づいて、第２定回転制御から第２記憶回転数の設定変更を可能にする第２記憶回転数変更制御に移行する。
【０１１０】
第１記憶回転数変更制御においては、第１スイッチ３７の短押し操作が行われると、そのときの第１スイッチ３７の出力に基づいて第１記憶回転数を一定回転数（例えば１０ｒｐｍ）だけ上昇させる。第２スイッチ３８の短押し操作が行われると、そのときの第２スイッチ３８の出力に基づいて第１記憶回転数を一定回転数（例えば１０ｒｐｍ）だけ低下させる。第１スイッチ３７の長押し操作が行われると、そのときの第１スイッチ３７の出力に基づいて、その出力が継続されている間（第１スイッチ３７の長押し操作が行われている間）、第１記憶回転数を連続して上昇させる。第２スイッチ３８の長押し操作が行われると、そのときの第２スイッチ１７の出力に基づいて、その出力が継続されている間（第２スイッチ３８の長押し操作が行われている間）、第１記憶回転数を連続して低下させる。そして、設定時間（例えば３秒間）の間、第１スイッチ３７の操作と第２スイッチ３８の操作のいずれも行われなかった場合には、その段階での回転数を第１記憶回転数として確定し、第１記憶回転数変更制御から第１定回転制御に移行する。
【０１１１】
第２記憶回転数変更制御においては、第１スイッチ３７の短押し操作が行われると、そのときの第１スイッチ３７の出力に基づいて第２記憶回転数を一定回転数（例えば１０ｒｐｍ）だけ上昇させる。第２スイッチ３８の短押し操作が行われると、そのときの第２スイッチ３８の出力に基づいて第２記憶回転数を一定回転数（例えば１０ｒｐｍ）だけ低下させる。第１スイッチ３７の長押し操作が行われると、そのときの第１スイッチ３７の出力に基づいて、その出力が継続されている間（第１スイッチ３７の長押し操作が行われている間）、第２記憶回転数を連続して上昇させる。第２スイッチ３８の長押し操作が行われると、そのときの第２スイッチ１７の出力に基づいて、その出力が継続されている間（第２スイッチ３８の長押し操作が行われている間）、第２記憶回転数を連続して低下させる。そして、設定時間（例えば３秒間）の間、第１スイッチ３７の操作と第２スイッチ３８の操作のいずれも行われなかった場合には、その段階での回転数を第２記憶回転数として確定し、第２記憶回転数変更制御から第２定回転制御に移行する。
【０１１２】
つまり、第１スイッチ３７および第２スイッチ３８を、第１定回転制御または第２定回転制御の実行を指令する指令手段、第１定回転制御から第１記憶回転数変更制御への移行、または、第２定回転制御から第２記憶回転数変更制御への移行を指令する指令手段、および、第１記憶回転数または第２記憶回転数を設定変更する設定器として機能させることができる。これにより、それぞれに対応する操作具を設ける場合に比較して、コストの削減や設置スペースの縮小を図ることができる。
【０１１３】
エンジン回転数制御手段３６は、キースイッチ３９をオン位置に操作した電源投入段階において、第１スイッチ３７の長押し操作が行われた場合には第１記憶回転数変更制御を実行し、第２スイッチ３８の長押し操作が行われた場合には第２記憶回転数変更制御を実行する。これにより、作業の開始前に第１記憶回転数および第２記憶回転数を作業などに応じて変更することができる。
【０１１４】
図２および図３に示すように、エンジン回転数制御手段３６は、第１定回転制御の実行が可能な状態において第１スイッチ３７が操作されると、そのときの押し操作に伴って、表示制御手段２１Ｂに表示情報を送信し、液晶表示部３０において、第１記憶回転数（ここでは「１８００」を例示してある）と、第１記憶回転数であることを示す第１識別記号４０（ここでは「Ａ」を例示してある）と、第１定回転制御または第２定回転制御の実行を示す第２識別記号４１（ここでは「ＡＵＴＯ」を例示してある）とを連続表示させる〔図３の（Ａ）参照〕。そして、第１スイッチ３７の初期位置への復帰に伴って第１定回転制御を開始する。
【０１１５】
また、第２定回転制御の実行が可能な状態において第２スイッチ３８が操作されると、そのときの押し操作に伴って、表示制御手段２１Ｂに表示情報を送信し、液晶表示部３０において、第２記憶回転数（ここでは「１０００」を例示してある）と、第２記憶回転数であることを示す第１識別記号４０（ここでは「Ｂ」を例示してある）と、第１定回転制御または第２定回転制御の実行を示す第２識別記号４１（ここでは「ＡＵＴＯ」）とを連続表示させる〔図３の（Ｂ）参照〕。そして、第２スイッチ３８の初期位置への復帰に伴って第２定回転制御を開始する。
【０１１６】
つまり、第１記憶回転数や第２記憶回転数などを表示する専用の表示部を設けることなく、第１定回転制御または第２定回転制御の開始に伴ってエンジン１の出力回転数が変更される前の段階で、それらの定回転制御での目標回転数などを液晶表示部３０に表示して運転者に視認させることができる。また、第１スイッチ３７または第２スイッチ３８の操作に伴って、液晶表示部３０の表示状態が、第１定回転制御または第２定回転制御での目標回転数などを表示する状態に切り替わることから、第１定回転制御または第２定回転制御での目標回転数などを常時表示する場合に比較して、運転者に視認させやすくすることができる。
【０１１７】
エンジン回転数制御手段３６は、エンジン１の出力回転数がアイドリング回転数以下になる操作位置にアクセルレバー３３が位置する状態において、第１スイッチ３７が操作されると、液晶表示部３０において、第１記憶回転数（ここでは「１８００」）と第１識別記号４０（ここでは「Ａ」）と第２識別記号４１（ここでは「ＡＵＴＯ」）とを間歇表示させる〔図３の（Ｃ）参照〕。
【０１１８】
また、エンジン１の出力回転数がアイドリング回転数以下になる操作位置にアクセルレバー３３が位置する状態において、第２スイッチ３８が操作されると、液晶表示部３０において、第２記憶回転数（ここでは「１０００」）と第１識別記号４０（ここでは「Ｂ」）と第２識別記号４１（ここでは「ＡＵＴＯ」）とを間歇表示させる〔図３の（Ｄ）参照〕。
【０１１９】
これにより、エンジン１の出力回転数がアイドリング回転数以下になる操作位置にアクセルレバー３３が位置することにより、第１スイッチ３７または第２スイッチ３８の操作にかかわらず、第１定回転制御または第２定回転制御が実行されないことを運転者に視認させることができる。
【０１２０】
エンジン回転数制御手段３６は、第１記憶回転数を目標回転数に設定した第１定回転制御の実行中に第１スイッチ３７が短押し操作されると、そのときの押し操作に伴って、表示制御手段２１Ｂに表示情報を送信し、液晶表示部３０において、第１記憶回転数に代えて、第１定回転制御終了後の操作状態に応じて設定する目標回転数（ここでは「１５００」を例示してある）を連続表示させるとともに、第１識別記号４０の表示を終了させる〔図３の（Ａ）および（Ｅ）参照〕。そして、第１スイッチ３７の初期位置への復帰に伴って第１定回転制御を終了し、そのときの操作状態に応じたフットアクセル制御とハンドアクセル制御と上限回転制御のうちのいずれかを開始する。
【０１２１】
また、第２記憶回転数を目標回転数に設定した第２定回転制御の実行中に第２スイッチ３８が短押し操作されると、そのときの押し操作に伴って、表示制御手段２１Ｂに表示情報を送信し、液晶表示部３０において、第２記憶回転数に代えて、第２定回転制御終了後の操作状態に応じて設定する目標回転数（ここでは「１５００」）を連続表示させるとともに、第１識別記号４０の表示を終了させる〔図３の（Ｂ）および（Ｅ）参照〕。そして、第２スイッチ３７の初期位置への復帰に伴って第２定回転制御を終了し、そのときの操作状態に応じたフットアクセル制御とハンドアクセル制御と上限回転制御のうちのいずれかを開始する。
【０１２２】
つまり、第１定回転制御または第２定回転制御からフットアクセル制御とハンドアクセル制御と上限回転制御とのいずれかへの移行に伴ってエンジン１の出力回転数が変更される前の段階で、第１定回転制御または第２定回転制御の終了後の目標回転数を液晶表示部３０に表示して運転者に視認させることができる。
【０１２３】
エンジン回転数制御手段３６は、第１定回転制御の実行中に第２スイッチ３８が操作されると、そのときの押し操作に伴って、表示制御手段２１Ｂに表示情報を送信し、液晶表示部３０において、第１記憶回転数（ここでは「１８００」）に代えて第２記憶回転数（ここでは「１０００」）を連続表示させ、第１識別記号４０を、第１記憶回転数を示すもの（ここでは「Ａ」）から第２記憶回転数を示すもの（ここでは「Ｂ」）に変更させる〔図３の（Ａ）および（Ｂ）参照〕。そして、第２スイッチ３８の初期位置への復帰に伴って第１定回転制御から第２定回転制御に移行する。
【０１２４】
また、第２定回転制御の実行中に第１スイッチ３７が操作されると、そのときの押し操作に伴って、表示制御手段２１Ｂに表示情報を送信し、液晶表示部３０において、第２記憶回転数（ここでは「１０００」）に代えて第１記憶回転数（ここでは「１８００」）を連続表示させ、第１識別記号４０を、第２記憶回転数を示すもの（ここでは「Ｂ」）から第１記憶回転数を示すもの（ここでは「Ａ」）に変更させる〔図３の（Ｂ）および（Ａ）参照〕。そして、第１スイッチ３７の初期位置への復帰に伴って第２定回転制御から第１定回転制御に移行する。
【０１２５】
つまり、第１定回転制御から第２定回転制御または第２定回転制御から第１定回転制御への移行に伴ってエンジン１の出力回転数が変更される前の段階で、移行後の第１定回転制御または第２定回転制御での目標回転数を液晶表示部３０に表示して運転者に視認させることができる。
【０１２６】
エンジン回転数制御手段３６は、第１定回転制御の実行中にペダル設定回転数が第１記憶回転数よりも高くなると、第１定回転制御に優先してフットアクセル制御を実行するとともに、表示制御手段２１Ｂに表示情報を送信し、液晶表示部３０における第２識別記号４１（ここでは「ＡＵＴＯ」）の表示を連続表示から間歇表示に変更させる〔図３の（Ａ）および（Ｆ）参照〕。
【０１２７】
このフットアクセル制御の優先実行中にペダル設定回転数が第１記憶回転数よりも低くなると、フットアクセル制御を終了して第１定回転制御を再開するとともに、表示制御手段２１Ｂに表示情報を送信し、液晶表示部３０における第２識別記号４１（ここでは「ＡＵＴＯ」）の表示を間歇表示から連続表示に変更させる〔図３の（Ｆ）および（Ａ）参照〕。
【０１２８】
また、第２定回転制御の実行中にペダル設定回転数が第２記憶回転数よりも高くなると、第２定回転制御に優先してフットアクセル制御を実行するとともに、表示制御手段２１Ｂに表示情報を送信し、液晶表示部３０における第２識別記号４１（ここでは「ＡＵＴＯ」）の表示を連続表示から間歇表示に変更させる〔図３の（Ｂ）および（Ｇ）参照〕。
【０１２９】
このフットアクセル制御の優先実行中にペダル設定回転数が第２記憶回転数よりも低くなると、フットアクセル制御を終了して第２定回転制御を再開するとともに、表示制御手段２１Ｂに表示情報を送信し、液晶表示部３０における第２識別記号４１（ここでは「ＡＵＴＯ」）の表示を間歇表示から連続表示に変更させる〔図３の（Ｇ）および（Ｂ）参照〕。
【０１３０】
つまり、第１定回転制御または第２定回転制御の実行中におけるアクセルペダル３１の操作により第１定回転制御または第２定回転制御からフットアクセル制御に移行する場合には、液晶表示部３０において、第１記憶回転数または第２記憶回転数とそれを示す第１識別記号４０とを連続表示させながら、第２識別記号４１を間歇表示させることにより、第１定回転制御または第２定回転制御からフットアクセル制御への移行を運転者に視認させることができる。また、フットアクセル制御の優先実行中におけるアクセルペダル３１の操作により第１定回転制御または第２定回転制御を再開する場合には、液晶表示部３０において、第１記憶回転数または第２記憶回転数とそれらに対応する第１識別記号４０と第２識別記号４１とを連続表示させることにより、第１定回転制御または第２定回転制御の再開と、再開する第１定回転制御または第２定回転制御での目標回転数とを運転者に視認させることができる。
【０１３１】
なお、フットアクセル制御への移行後のエンジン回転数はタコメータによって視認することができる。
【０１３２】
エンジン回転数制御手段３６は、第１定回転制御の実行中に上限回転数が第１記憶回転数よりも低くなると、第１定回転制御に優先して上限回転制御を実行するとともに、表示制御手段２１Ｂに表示情報を送信し、液晶表示部３０において、第１記憶回転数（ここでは「１８００」）に代えて上限回転数（ここでは「１７００」を例示してある）を連続表示させ、第１識別記号４０を、第１記憶回転数を示すもの（ここでは「Ａ」）から上限回転数を示すもの（ここでは「Ｌ」を例示してある）に変更させ、第２識別記号４１を、第１定回転制御または第２定回転制御の実行を示すもの（ここでは「ＡＵＴＯ」）から上限回転制御の優先実行を示すもの（ここでは「↑ＡＵＴＯ」を例示してある）に変更させる〔図３の（Ａ）および（Ｈ）参照〕。
【０１３３】
この上限回転制御の優先実行中に上限回転数が第１記憶回転数よりも高くなると、上限回転制御を終了して第１定回転制御を再開するとともに、表示制御手段２１Ｂに表示情報を送信し、液晶表示部３０において、上限回転数（ここでは「１７００」）に代えて第１記憶回転数（ここでは「１８００」）を連続表示させ、第１識別記号４０を、上限回転数を示すもの（ここでは「Ｌ」）から第１記憶回転数を示すもの（ここでは「Ａ」）に変更させ、第２識別記号４１を、上限回転制御の優先実行を示すもの（ここでは「↑ＡＵＴＯ」）から第１定回転制御または第２定回転制御の実行を示すもの（ここでは「ＡＵＴＯ」）に変更させる〔図３の（Ｈ）および（Ａ）参照〕。
【０１３４】
また、第２定回転制御の実行中に上限回転数が第２記憶回転数よりも低くなると、第２定回転制御に優先して上限回転制御を実行するとともに、表示制御手段２１Ｂに表示情報を送信し、液晶表示部３０において、第２記憶回転数（ここでは「１０００」）に代えて上限回転数（ここでは「９００」を例示してある）を連続表示させ、第１識別記号４０を、第２記憶回転数を示すもの（ここでは「Ｂ」）から上限回転数を示すもの（ここでは「Ｌ」）に変更させ、第２識別記号４１を、第１定回転制御または第２定回転制御の実行を示すもの（ここでは「ＡＵＴＯ」）から上限回転制御の優先実行を示すもの（ここでは「↑ＡＵＴＯ」）に変更させる〔図３の（Ｂ）および（Ｉ）参照〕。
【０１３５】
この上限回転制御の優先実行中に上限回転数が第２記憶回転数よりも高くなると、上限回転制御を終了して第２定回転制御を再開するとともに、表示制御手段２１Ｂに表示情報を送信し、液晶表示部３０において、上限回転数（ここでは「９００」）に代えて第２記憶回転数（ここでは「１０００」）を連続表示させ、第１識別記号４０を、上限回転数を示すもの（ここでは「Ｌ」）から第２記憶回転数を示すもの（ここでは「Ｂ」）に変更させ、第２識別記号４１を、上限回転制御の優先実行を示すもの（ここでは「↑ＡＵＴＯ」）から第１定回転制御または第２定回転制御の実行を示すもの（ここでは「ＡＵＴＯ」）に変更させる〔図３の（Ｉ）および（Ｂ）参照〕。
【０１３６】
つまり、第１定回転制御または第２定回転制御の実行中における上限設定器３５の操作により第１定回転制御または第２定回転制御から上限回転制御に移行する場合には、液晶表示部３０において、上限回転数とそれを示す第１識別記号４０と上限回転制御の優先実行を示す第２識別記号４１とを連続表示することにより、上限回転制御への移行と、そのときのエンジン１の出力回転数とを運転者に視認させることができる。また、上限回転制御の優先実行中における上限設定器３５の操作により第１定回転制御または第２定回転制御を再開する場合には、液晶表示部３０において、第１記憶回転数または第２記憶回転数とそれを示す第１識別記号４０と第１定回転制御または第２定回転制御の実行を示す第２識別記号４１とを連続表示することにより、第１定回転制御または第２定回転制御の再開と、再開する第１定回転制御または第２定回転制御での目標回転数とを運転者に視認させることができる。
【０１３７】
エンジン回転数制御手段３６は、上限回転数が第１記憶回転数よりも低い場合やペダル設定回転数が第１記憶回転数よりも高い場合に第１スイッチ３７が操作されると、その操作に伴って、表示制御手段２１Ｂに表示情報を送信し、液晶表示部３０において、第１記憶回転数（ここでは「１８００」）を間歇表示させ、第１識別記号４０（ここでは「Ａ」）と第２識別記号４１（ここでは「ＡＵＴＯ」）とを連続表示させる〔図３の（Ｊ）参照〕。
【０１３８】
また、上限回転数が第２記憶回転数よりも低い場合やペダル設定回転数が第２記憶回転数よりも高い場合に第２スイッチ３８が操作されると、その操作に伴って、表示制御手段２１Ｂに表示情報を送信し、液晶表示部３０において、第２記憶回転数（ここでは「１０００」）を間歇表示させ、第１識別記号４０（ここでは「Ｂ」）と第２識別記号４１（ここでは「ＡＵＴＯ」）とを連続表示させる〔図３の（Ｋ）参照〕。
【０１３９】
これにより、アクセルペダル３１や上限設定器３５の操作位置に起因して、第１スイッチ３７または第２スイッチ３８の操作にかかわらず、第１定回転制御または第２定回転制御が実行されていないことを運転者に視認させることができる。
【０１４０】
エンジン回転数制御手段３６は、第１定回転制御の実行中に第１スイッチ３７が長押し操作されると、第１定回転制御から第１記憶回転数変更制御に移行するとともに、表示制御手段２１Ｂに表示情報を送信し、液晶表示部３０における第１識別記号４０（ここでは「Ａ」）および第２識別記号４１（ここでは「ＡＵＴＯ」）の表示を連続表示から間歇表示に変更させる〔図３の（Ａ）および（Ｌ）参照〕。
【０１４１】
また、第２定回転制御の実行中に第２スイッチ３８が長押し操作されると、第２定回転制御から第２記憶回転数変更制御に移行するとともに、表示制御手段２１Ｂに表示情報を送信し、液晶表示部３０における第１識別記号４０（ここでは「Ｂ」）および第２識別記号４１（ここでは「ＡＵＴＯ」）の表示を連続表示から間歇表示に変更させる〔図３の（Ｂ）および（Ｍ）参照〕。
【０１４２】
これにより、第１スイッチ３７または第２スイッチ３８の操作により、第１定回転制御または第２定回転制御から第１記憶回転数変更制御または第２記憶回転数変更制御に移行して、第１記憶回転数または第２記憶回転数の設定変更が可能になっていることを運転者に視認させることができる。
【０１４３】
エンジン回転数制御手段３６は、第１記憶回転数変更制御または第２記憶回転数変更制御の実行中に第１スイッチ３７または第２スイッチ３８が操作されると、そのときの操作に基づいて、第１記憶回転数または第２記憶回転数を変更するとともに、表示制御手段２１Ｂに表示情報を送信し、液晶表示部３０において変更後の第１記憶回転数または第２記憶回転数を連続表示させる。
【０１４４】
これにより、第１スイッチ３７または第２スイッチ３８の操作による第１記憶回転数または第２記憶回転数の設定変更を視認しながら行なうことができる。
【０１４５】
エンジン回転数制御手段３６は、搭乗運転部８に配備した表示スイッチ４２が操作されると、表示制御手段２１Ｂに表示情報を送信し、液晶表示部３０での表示を、第１記憶回転数（ここでは「１８００」）と第１識別記号４０（ここでは「Ａ」）と第２識別記号４１（ここでは「ＡＵＴＯ」）とを連続表示する状態と、第２記憶回転数（ここでは「１０００」）と第１識別記号４０（ここでは「Ｂ」）と第２識別記号４１（ここでは「ＡＵＴＯ」）とを連続表示する状態とに、設定時間（例えば１秒）ごとに切り替える。
【０１４６】
なお、各種の制御プログラムやマップデータ、第１記憶回転数、および第２記憶回転数などは、制御装置２１に備えたＥＥＰＲＯＭやフラッシュメモリなどの不揮発性メモリからなる記憶手段２１Ｄに記憶させてある。
【０１４７】
〔別実施形態〕
【０１４８】
〔１〕作業車としては、乗用草刈機、乗用田植機、コンバイン、またはホイールドーザ、などであってもよい。
【０１４９】
〔２〕トラクタに装備する作業装置としては、フロントローダ、溝切り装置、または畦塗り装置、などであってもよい。
【０１５０】
〔３〕エンジン１としては、ディーゼルエンジンであってもよく、また、ガソリンエンジンであってもよい。
【０１５１】
〔４〕制御手段３６を、制御装置２１に備えるようにしてもよく、また、ＥＣＵ１６に備えるようにしてもよい。制御装置２１とＥＣＵ１６とを一体構成するようにしてもよい。
【０１５２】
〔５〕指令手段３７，３８を、第１接点と第２接点とを備えた中立復帰型の単一のスイッチで構成してもよい。
【０１５３】
〔６〕記憶手段２１Ｄに、単一の記憶回転数を記憶するようにしてもよく、また、３種類以上の記憶回転数を記憶するようにしてもよい。なお、記憶手段２１Ｄに単一の記憶回転数を記憶する場合には、単一の指令手段３７を備えるだけでよい。
【０１５４】
〔７〕第１定回転制御の実行中に、エンジン回転数が低くなる方向へのアクセルレバー３３の操作をレバーセンサ３４により検出し、かつ、その操作後のレバー設定回転数が第１記憶回転数よりも低くなる場合には、制御手段３６が、第１定回転制御を終了するとともに、フットアクセル制御とハンドアクセル制御のうち、制御目標とするエンジン回転数が高い側のアクセル制御を実行し、第２定回転制御の実行中に、エンジン回転数が低くなる方向へのアクセルレバー３３の操作をレバーセンサ３４により検出し、かつ、その操作後のレバー設定回転数が第２記憶回転数よりも低くなる場合には、制御手段３６が、第２定回転制御を終了するとともに、フットアクセル制御とハンドアクセル制御のうち、制御目標とするエンジン回転数が高い側のアクセル制御を実行するように構成してもよい。
【符号の説明】
【０１５５】
１      エンジン
２１Ｄ  記憶手段
３１    アクセルペダル
３２    ペダルセンサ
３３    アクセルレバー
３４    レバーセンサ
３６    制御手段